(57)【要約】      （修正有）【課題】固形美容成分の溶媒としてイソソルビドジエステルを含むパーソナルケア組成物を有する吸収性物品又は拭き取り用品を提供すること。【解決手段】次式：2017140431.tif 000019を有するイソソルビドジエステルを含むパーソナルケア組成物が開示され、式中、Ｒ’及びＲ”は、独立して、直鎖又は分岐鎖Ｃ１〜３０鎖から選択され、飽和又は不飽和であってよい。また、イソソルビドジエステルに可溶性の固形美容成分及び皮膚科学的に許容可能なキャリアも含み、エマルションの形態であってよい。更に、次式：2017140431.tif 000020を有するイソソルビドジエステルを含む。式中、Ｒ’及びＲ”は、独立して、直鎖又は分岐鎖Ｃ１〜３０鎖から選択され、飽和又は不飽和であってよく、かつＺ１〜Ｚ６は、独立して、水素、ヒドロキシル、アミノ、アミド、Ｒ’、又はＲ”から選択される。【選択図】なし【特許請求の範囲】
【請求項１】
ａ．次式：
【化１】
2017140431.tif 000018
（式中、Ｒ’及びＲ”は、独立して、直鎖又は分岐鎖Ｃ１〜３０鎖から選択され、飽和又は不飽和であってよい）
を有するイソソルビドジエステルと、
ｂ．前記イソソルビドジエステルに可溶性の固形美容成分と、
ｃ．皮膚科学的に許容可能なキャリアと、
を含むパーソナルケア組成物を含む、吸収性物品。
【請求項２】
Ｒ’及びＲ”が同一である、請求項１に記載のパーソナルケア組成物。
【請求項３】
Ｒ’及びＲ”が飽和直鎖又は分岐鎖Ｃ７鎖である、請求項１又は２に記載のパーソナルケア組成物。
【請求項４】
０．１％〜１０％の固形美容成分を含む、請求項１〜３のいずれか一項に記載のパーソナルケア組成物。
【請求項５】
前記固形美容成分が、フラボノイド、ヒドロキシ酸、Ｎ−アシルアミノ酸化合物、フィトステロール、グリチルレチン酸、トコフェロールスクシネート、及びこれらの組み合わせからなる群から選択される固形化合物である、請求項１〜４のいずれか一項に記載のパーソナルケア組成物。
【請求項６】
前記固形美容成分が、ヘキシルレゾルシノール、エクオル、テトラヒドロクルクミノイド、非置換フラボン、７，２’−ジヒドロキシフラボン、３’，４’−ジヒドロキシナフトフラボン、４’−ヒドロキシフラボン、５，６−ベンゾフラボン、及び７，８−ベンゾフラボン、非置換イソフラボン、７，４’−ジヒドロキシイソフラボン、５，７−ジヒドロキシ−４’−メトキシイソフラボン、大豆イソフラボン、サリチル酸、β−シトステロール、カンペステロール、ブラシカステロール、δ−５−アヴェンナステロール、ルペノール、α−スピナステロール、スティグマステロール、グリチルレチン酸、ウンデシレノイルフェニルアラニン、ビタミンＥコハク酸塩、並びにこれらの組み合わせからなる群から選択される、請求項１〜５のいずれか一項に記載のパーソナルケア組成物。
【請求項７】
前記固形美容成分が、ヘキシルレゾルシノール、エクオル、テトラヒドロクルクミノイド、及びこれらの組み合わせからなる群から選択される、請求項１〜６のいずれか一項に記載のパーソナルケア組成物。
【請求項８】
前記イソソルビドジエステルを、前記固形美容成分を実質的に可溶化するのに十分な量で含む、請求項１〜７のいずれか一項に記載のパーソナルケア組成物。
【請求項９】
固形美容成分１重量部毎に少なくとも１０重量部のイソソルビドジエステル、好ましくは、固形美容成分１重量部毎に少なくとも５重量部のイソソルビドジエステル、より好ましくは、固形美容成分１重量部毎に少なくとも２重量部イソソルビドジエステルを含む、請求項１〜８のいずれか一項に記載のパーソナルケア組成物。
【請求項１０】
４−ｔｅｒｔ−ブチル−４’−メトキシジベンゾイルメタン、ビス−エチルヘキシルオキシフェノールメトキシフェニルトリアジン、２，４，６−トリアニリノ−（ｐ−カルボ−２’−エチルヘキシル−１’−オキシ）−１，３，５−トリアジン、ジエチルヘキシルブタミドトリアゾン、ジエチルアミノヒドロキシベンゾイルヘキシルベンゾエート、ベンゾフェノン−３、４−メチルベンジリデンカンファー、エチルヘキシルビス−イソペンチルベンゾオキサゾリルフェニルメラミン、及びこれらの組み合わせから選択される固形ＵＶ有効成分を更に含む、請求項１〜９のいずれか一項に記載のパーソナルケア組成物。
【請求項１１】
前記ＵＶ有効成分が、２−エチルヘキシル−ｐ−メトキシシンナメート、オクチルジメチル−ｐ−アミノ安息香酸、２−エチルヘキシル−２−シアノ−３，３−ジフェニルアクリレート、２−エチルヘキシルサリチレート、２−フェニルベンゾイミダゾール−５−スルホン酸、２−（ｐ−ジメチルアミノフェニル）−５−スルホンベンゾオキサゾイン酸、フェニルジベンゾイミダゾールテトラスルホン酸二ナトリウム、ジヒドロキシジメトキシジスルホベンゾフェノンナトリウム、ポリシリコーン−１５、イソアミルｐ−メトキシシンナメート、二酸化亜鉛、酸化亜鉛、メチレンビス−ベンゾトリアゾリルテトラメチルブチルフェノール、４−ｔｅｒｔ−ブチル−４’−メトキシジベンゾイルメタン、２−エチルヘキシル−２−シアノ−３，３−ジフェニルアクリレート、及びこれらの組み合わせから選択される、請求項１〜１０のいずれか一項に記載のパーソナルケア組成物。
【請求項１２】
光安定剤を更に含み、前記光安定剤が、メトキシクリレン、ジエチルヘキシル２，６−ナフタレート、ジエチルヘキシルシリンジリレンマロネート、及びこれらの組み合わせからなる群から選択される、請求項１〜１１のいずれか一項に記載のパーソナルケア組成物。
【請求項１３】
ＵＶ有効成分１重量部毎に光安定剤が少なくとも１重量部の比で光安定剤を更に含む、請求項１〜１２のいずれか一項に記載のパーソナルケア組成物。
【請求項１４】
ａ．水を含む水相と、
ｂ．前記イソソルビドジエステルと前記イソソルビドジエステルに可溶性の前記固形美容成分とを含む油相と、
を含むエマルション形態である、請求項１〜１３のいずれか一項に記載のパーソナルケア組成物。
【発明の詳細な説明】
【技術分野】
【０００１】
本発明は、固形美容成分の溶媒としてイソソルビドジエステルを含むパーソナルケア組成物を有する、吸収性物品又は拭き取り用品に関する。
【背景技術】
【０００２】
多くのパーソナルケア組成物には、対象とする組織に効果をもたらす固形美容成分が配合されている。パーソナルケア組成物は、身体又は衣類、及び身体に着用されている又は適用されている物品に適用される。組成物としては、ボディスプレー、デオドラント製品（身体及び／又は衣類に（例えば、乾燥機用シートによって）適用される）、洗浄製品、柔軟仕上げ剤、スキンケア製品、ヘアケア製品、剃毛組成物及びパーソナルクレンジング製品（例えば、クレンジングバー及びボディウォッシュ）が挙げられるが、これらに限定されない。物品としては、拭取り布、パッチ及び吸収性物品が挙げられるが、これらに限定されない。代表的な吸収性物品としては、おむつ、女性用衛生製品、失禁用製品及び創傷包帯が挙げられるが、これらに限定されない。典型的には皮膚、毛髪及び爪等のケラチン組織が好適な標的組織となる。ＵＶ吸収能を備える組成物を提供する際にはＵＶ有効成分が使用される。固形美容成分のうち一部のものは、固形（粒子等）の状態で送達されたときに効果を発揮する。固形美容成分は、通常、適切な溶媒に可溶化される。配合者は、パーソナルケア組成物に特有の課題に直面している。溶媒は、幅広い消費者により皮膚科学的に許容可能なものでなくてはならない。理想的には、溶媒は、外部温度、標準周囲条件等、組成物が直面することになる幅広い条件下で、固形美容成分の溶解特性を維持すべきである。
【０００３】
美容組成物は、通常目に見える、つまり空気に曝されている身体部分の外観の改善を目的としているが、陰唇、膣口、及び膣等の女性の身体の非角化上皮組織（泌尿生殖皮膚とも呼ばれる）に関する必要性がある場合がある。角化上皮組織は、一般に、空気に曝された皮膚、例えば顔、腕、頭皮、脚等と関連しており、一方非角化上皮組織は、一般に、閉鎖された又は半閉鎖された皮膚、例えば陰唇、膣口、尿道、小陰唇、粘膜組織等と関連している。これらの組織は角化度が低い、又は非角化されているために、化粧用成分及び活性成分がより容易に皮膚に透過でき、それに関連して、これらの上皮組織の化学成分に対する感受性をより高くする。角化上皮組織に刺激性がない化粧用処方は、非角化上皮組織に対して非常に刺激性がある場合がある。したがって、非角化上皮組織を傷つけない好適な溶媒中で固形美容成分を使用することに関して、配合者はよりいっそうの苦労をする。
溶媒は、理想的には、角化度が低い、又は非角化の上皮に刺激性がない状態で、固形美容成分の溶解度を維持しなければならない。
【０００４】
固形美容成分の可溶化には、従来的には、数種類の溶媒が使用される。Ｃ１２〜Ｃ１５安息香酸アルキル等といった、カルボン酸の脂肪酸エステルが周知の溶媒である。別の適切な種類の溶媒は、アジピン酸ジイソプロピル等のアジピン酸のエステルである。アミド油は別の幅広く使用される種類の溶媒であり、例としてはエチルＮ−アセチル−Ｎ−ブチルアミノプロピオネート、より好ましくはイソプロピルラウロイルサルコシネートが挙げられる。これらの材料は全て、配合者により固形美容成分の可溶化に典型的に使用される周知の溶媒である。しかしながら、未だに固形美容成分には代替となる溶媒が必要とされている。従来の溶媒の多くのものは、パーソナルケア組成物への二次利益が少ない。固形美容成分を可溶化することのできる代替となる溶媒系が必要とされている。
【発明の概要】
【課題を解決するための手段】
【０００５】
次式：
【０００６】
【化１】
2017140431.tif 000002
を有するイソソルビドジエステルを含む、パーソナルケア組成物が開示され、式中、Ｒ’及びＲ”は、独立して、直鎖又は分岐鎖Ｃ１〜３０鎖から選択され、飽和又は不飽和であってよい。パーソナルケア組成物は、イソソルビドジエステルに可溶性の固形美容成分及び皮膚科学的に許容可能なキャリアも含む。パーソナルケア組成物は、エマルションの形態であってよい。
【０００７】
また、次式：
【０００８】
【化２】
2017140431.tif 000003
を有するイソソルビドジエステルを含むパーソナルケア組成物も開示され、式中、Ｒ’及びＲ”は、独立して、直鎖又は分岐鎖Ｃ１〜３０鎖から選択され、飽和又は不飽和であってよく、かつＺ１〜Ｚ６は、独立して、水素、ヒドロキシル、アミノ、アミド、Ｒ’、又はＲ”から選択される。パーソナルケア組成物は、イソソルビドジエステルに可溶性の固形美容成分及び皮膚科学的に許容可能なキャリアも含む。パーソナルケア組成物は、エマルションの形態であってよい。
【０００９】
前述のパーソナルケア組成物の製造方法も開示される。
【発明を実施するための形態】
【００１０】
本発明のパーソナル組成物は、スキンケア、化粧品、及びヘアケア製品に使用することができ、その非限定的な用途としては、保湿剤、コンディショナー、老化防止化合物、美白化合物、及びこれらの組み合わせが挙げられる。組成物は、顔、首、手、腕、及び紫外線に曝露される身体の他の領域のケラチン組織に適用される。
【００１１】
本発明の全ての実施形態では、全ての百分率は、特に記載のない限り、パーソナルケア組成物の重量による。全ての比率は、特に記述のない限り、重量比である。全ての数値範囲は、より狭い範囲を含む。有効数字の数は、指示されている量を限定するものでもなく、測定の精度を限定するものでもない。全ての測定は、周囲条件で実施されるものと理解され、「周囲条件」とは、約２５℃、０．１ＭＰａ（約１気圧）及び相対湿度約５０％における条件を意味する。
【００１２】
「パーソナルケア組成物」とは、哺乳類のケラチン組織上に局所適用するのに好適な組成物を意味する。
【００１３】
「ケラチン組織」とは、皮膚、毛髪、爪、角皮等を含むが、これらに限定されない哺乳類の最も外側の保護相として配置されるケラチン含有層を指す。
【００１４】
「安定」及び「安定性」は、輸送、保管及び使用において付されることが合理的に予期される条件、例えば約０℃〜約４０℃の温度で少なくとも３０日間等の条件に曝された際に、化学性、物理的均一性及び／又は色が実質的に不変である組成物を指す。
【００１５】
「誘導体」は、相対する分子と類似しているものの、特定の官能性部分が異なっている分子を指す。誘導体は既知の反応経路により生成され得る。好適な官能基としては、エステル、エーテル、アミド、アミン、カルボン酸、ヒドロキシル、ハロゲン、チオール及び／又は関連する分子の塩誘導体が挙げられる。
【００１６】
「置換された」は、ヘテロ原子による置換を少なくとも１つ含んでいることを意味する。置換基の非限定例としては、酸素原子及び窒素原子等の原子、並びにヒドロキシル基、エーテル基、アルコキシ基、アシルオキシアルキル基、オキシアルキレン基、ポリオキシアルキレン基、カルボン酸基、アミン基、アシルアミノ基、アミド基、ハロゲン含有基、エステル基、チオール基、スルホン酸基、チオ硫酸基、シロキサン基及びポリシロキサン基等の官能基が挙げられる。
【００１７】
「非水溶性」は、２５℃及び０．１ＭＰａ（１ａｔｍ）及び中性ｐＨにて、１００ｍＬの水に溶解する溶質が約０．０１ｇ未満であることを意味する。
【００１８】
組成物に関連して使用される用語「塗布する」又は「塗布」は、本発明の組成物をケラチン組織表面上に塗布し又は拡げることを意味する。
【００１９】
「皮膚科学的に許容可能な」は、記載される組成物又は構成成分が、過度の毒性、不適応性、不安定性、アレルギー反応等がなく、ケラチン組織、例えばヒトの皮膚組織（角化及び／又は非角化のもの、一般に目に見えるもの又は見えないもの）と接触して使用するのに好適であることを意味する。
【００２０】
組成物に関して、用語「リーブオン」は、塗布後ケラチン組織上に付着させたままにすることが意図される組成物を意味する。こうしたリーブオン組成物は、皮膚に塗布され、その後（数分以内に）洗う、すすぐ、拭き取る等のいずれかによって除去される組成物とは区別される。リーブオン組成物では、シャンプー、洗顔料、手洗浄剤、ボディウォッシュ又は身体用洗浄剤等のような洗い流し型の適用は除外される。リーブオン組成物は、洗浄用界面活性剤又は合成界面活性剤を実質的に含まなくてよい。例えば、「リーブオン組成物」は、少なくとも１５分間ケラチン組織上に付着させたままにしておくことができる。例えば、リーブオン組成物には、１％未満の洗浄用界面活性剤、０．５％未満の洗浄用界面活性剤又は０％の洗浄用界面活性剤を含ませてよい。しかしながら、組成物には、皮膚に局所的に塗布した際に何らかの有意な洗浄効果をもたらすことを意図するものではない、乳化又は他の加工用界面活性剤も含有させることができる。
【００２１】
Ｉ．パーソナルケア組成物
本発明は部分的には、イソソルビドジエステルと、イソソルビドジエステルに可溶性の固形美容成分と、を含む、パーソナルケア組成物に関する。驚くべきことに、イソソルビドジエステルは、特定の固形美容成分に好適な溶媒であることが判明している。イソソルビドジエステルは、特定の例において、固形美容成分と合わせて幅広く使用されている従来の多くの溶媒と同様又はそれ以上に良好に機能する。
【００２２】
Ａ．形態
パーソナルケア組成物は、スキンケア、制汗剤、脱臭剤、美容品及びヘアケア製品であってよい。パーソナルケア組成物の主な用途は、保湿剤、コンディショナー、老化防止化合物、美白剤、サンレス・タナー、日焼け止め剤、制汗剤、ひげそり用組成物、ひげそり後用組成物、ファンデーション、リップスティック、整髪料、シャンプー、洗浄剤、潤滑剤、及びこれらの組み合わせ等である。
【００２３】
パーソナルケア製品が物品の形態である際、パーソナルケア組成物は、物品の２つ以上の層／構成成分の間で緩く用いられ及び／又は、例えば、スチレン系ブロックコポリマーのような好適な接着剤で物品の層又は構成成分に接着されてよい。パーソナルケア製品としては、拭取り布、パッチ等が挙げられる。本発明のパーソナルケア製品としては、例えば、おむつ、女性用衛生用品、失禁用製品及び創傷包帯のような吸収性物品も挙げられる。女性用衛生製品としては、パッド、パンティーライナー、陰唇間パッド、失禁用パンツ、及びタンポンを非限定的に含む、月経液管理又は非月経液管理用製品を挙げてよい。吸収性物品は、典型的には、液体透過性トップシート又はカバー層、液体不透過性バックシート又は層及びそれらの間に配置された吸収性コアを含む。物品は、例えば、トップシートの下にある移動層のような追加構成要素を含んでよく、トップシート及び移動層の双方はトップシートから吸収性コアに流体を迅速に移動させ、捕捉後に流体が吸収性コアから離れるのを防ぐ（すなわち、「再湿潤」又は「搾り出し」を防ぐ）ことを容易にする。代表的なトップシート及び移動層としては、不織布、織布シート及び孔あきフィルムが挙げられる。代表的な吸収性コアとしては、木材パルプ、ヒドロゲル、吸収性ポリマー等が挙げられる。代表的なバックシートとしては、ポリオレフィンフィルムが挙げられる。上述のように、錯体は、これらの１つ以上の吸収性物品の構成成分の間で緩く存在するか及び／又は適当な接着剤によって接着されてよい。
【００２４】
本発明のトップシートは、有効量のパーソナルケア組成物を含有する。本明細書に使用される、用語「有効量のパーソナルケア組成物」は、女性用衛生製品のトップシートに塗布されるとき、パーソナルケア組成物を着用者の皮膚（角化又は非角化）に移動するのに有効である、特定のパーソナルケア組成物の量を指す。有効量のパーソナルケア組成物は、大方の場合、使用される特定のパーソナルケア組成物によって決まる。
【００２５】
本明細書に使用される、用語「拭き取り用物品」とは、体の一部を清浄にするために使用される、概して不織布材料である、一片の材料を指す。特に、ほとんどの現在入手可能な拭き取り用物品は、排便後に肛門周囲の領域を洗浄することを目的とされている。他の拭き取り用物品は、顔又は他の体の部位の清浄に利用可能である。本発明は、外陰部位のための拭き取り用物品に焦点を合わせる。湿式拭き取り用物品は、下水設備によって容易に廃棄されるか、又はごみ箱に別個に廃棄されるのに十分な小型でありながら、概して、便利な取扱いを可能にするのに十分な寸法である。拭き取り用物品の材料は、概して柔らかく可撓性があり、潜在的にはそのクリーニング性能を高める構造化された表面を有する。材料は、好ましくは、一般的に合成化合物でできている不織布材料である。しかしながら、織物材料、並びに織布又は不織布のいずれかの材料に天然化合物を使用することは、本発明の範囲内である。拭き取り用物品のテクスチャ及び材料は、拭き取り用物品の性能に高い関連性がある。本発明の一実施形態において、不織布材料は、ポリオレフィン、ポリエステル、セルロース、レーヨン、ポリアミド、ポリエステルアミド、ポリビニルアルコール、及びこれらの組み合わせからなる群から選択される繊維を含む。本発明に使用可能な基材は、例えばスパンレースプロセスであるがこれに限定されない任意の好適なプロセスを通じて製造されてもよく、好ましくは、１平方メートルあたり約４５グラム（ｇｓｍ）〜７５ｇｓｍ、より好ましくは、４５ｇｓｍ〜６５ｇｓｍの乾燥坪量を有する。
【００２６】
拭き取り用物品の寸法は変更することができる。拭き取り用物品は、寸法が約２５平方センチメートル（約４平方インチ）以上であっても、寸法が約５０平方センチメートル（約９平方インチ）以上であっても、寸法が約１，４５０平方センチメートル（約２２５平方インチ）以下であっても、約１００平方センチメートル（約１６平方インチ）〜約３２０平方センチメートル（約５０平方インチ）であっても、又は寸法が約２２５平方センチメートル（約３５平方インチ）であってもよい。
【００２７】
拭き取り用物品は、清浄用の拭き取り用物品であってもよい。拭き取り用物品はまた、着用者が経血及び／又は他の身体排泄物を着用者の身体から拭い取るために使用しうる、衛生清浄用の拭き取り用物品であってもよい。経血が着用者の身体から出るとき、着用者の身体の外陰部を汚す傾向があるとともに、着用者の皮膚及び陰毛の上で保持される傾向があるので、経血の拭き取りは特に重要であり得る。更に、経血は次いで、皮膚の上で又陰毛の中で乾燥し、後に拭い取るのが困難となることがある。
【００２８】
拭き取り用物品は、一般的に液体又は半液体組成物で含浸されており、洗浄を強化し、滑らかな感触を提供することを目的としている。一般に、本組成物は、拭き取り用物品の構造全体に含浸するために十分低い粘度のものである。別の場合には、本組成物は主に拭き取り用物品の表面に存在し、それより少ない程度で拭き取り用物品の内部構造に存在することができる。１つの任意的な実施形態において、本組成物は、物質によって放出可能なように担持される、すなわち、組成物は、基材の中か上かのどちらかに含有され、基材に幾らかの力を加えることによって、例えば、基材を絞り出すこと、又は湿式の拭き取り用物品を使用して子供のお尻等の表面を拭き取ることによって、基材から簡単に放出可能である。
【００２９】
本発明によるパーソナルケア組成物を有する拭き取り用物品の製造において、パーソナルケア組成物は、拭き取り用物品の表面に塗布されてよい。パーソナルケア組成物を均一に分配する様々な適用方法のいずれかを用いることができる。好適な方法としては、噴霧、印刷（例えば、フレキソ印刷）、コーティング（例えば、グラビアコーティング）、押出成形、又は、例えば、カレンダーロールのような回転表面上にパーソナルケア組成物を噴霧し、次いでトップシートの外表面に組成物を移動させる等の、これらの適用技術の組み合わせが挙げられる。
【００３０】
拭き取り用物品の表面にパーソナルケア組成物を適用する様式は、拭き取り用物品がパーソナルケア組成物で飽和にならないようなものであってもよい。別の実施形態において、拭き取り用物品は、パーソナルケア組成物で飽和されていてもよい。拭き取り用物品の飽和は、治療的及び／又は予防的パーソナルケア組成物効果を得るのに必須ではない。特に好適な適用方法は、主に拭き取り用物品の外表面にパーソナルケア組成物を適用することである。
【００３１】
パーソナルケア組成物は、非常に多様な形態を包含し得る。非限定的な例としては、単純な溶液（例えば、水又は油系）、分散液及びエマルションが挙げられる。パーソナルケア組成物は実質的に無水であってもよい。「実質的に無水」とは、組成物の含む水が約１％未満、０．５％未満、又は０％であることを意味する。パーソナルケア組成物は、流体又は固体であってよい（ゲル、スティック、流動性の固体、無定形の材質）。特定の実施形態では、パーソナルケア組成物は、エマルションの形態である。乳濁液は、一般に、連続水相（例えば水中油型及び水中油中水型）、又は連続油相（例えば油中水型及び油中水中油型）を有するものとして分類され得る。
【００３２】
Ｂ．イソソルビドジエステル
パーソナルケア組成物は、イソソルビドジエステルを含む。イソソルビドジエステルは次式［Ｉ］：
【００３３】
【化３】
2017140431.tif 000004
を有し、式中、Ｒ’及びＲ”は、独立して、直鎖又は分岐鎖Ｃ１〜３０炭化水素鎖から選択され、飽和又は不飽和であってよく、置換されてよい。一実施形態では、Ｒ’及びＲ”は、独立して、直鎖又は分岐鎖Ｃ１〜１０炭化水素鎖から選択され、飽和又は不飽和であってよく、置換されてよい。特定の実施形態では、Ｒ’及びＲ”は、独立して、直鎖又は分岐鎖Ｃ１〜３０又はＣ１〜１０炭化水素鎖から選択され、飽和又は不飽和であってよい。特定の実施形態では、Ｒ’及びＲ”は、独立して、直鎖又は分岐鎖Ｃ１〜３０又はＣ１〜１０炭化水素鎖から選択され、飽和されてよい。他の実施形態では、Ｒ’及びＲ”は、飽和の、直鎖又は分岐鎖Ｃ７鎖である。この特定の形態は、イソソルビドジカプリレートというＩＮＣＩ名を有する。式Ｉのイソソルビドジエステルは、既知のエステル化法により合成することができる。例えば、イソソルビドは、高圧（１００〜５００ｋＰａ）かつ理想的には高温、例えば、１２０〜２２０℃下で、塩基性又は酸性触媒の存在下で、所望のＲ’又はＲ”基を有するカルボン酸と反応させることができる。標準的な分留法により単離を行うことができる。このイソソルビドジエステルは、より一般的にイソソルビドジエステルと呼ばれる。
【００３４】
他の実施形態では、パーソナルケア組成物は、次式［ＩＩ］：
【００３５】
【化４】
2017140431.tif 000005
を有するイソソルビドジエステルを含み、式中、Ｒ’及びＲ”は、独立して、直鎖又は分岐鎖Ｃ１〜３０炭化水素鎖であり、飽和又は不飽和であってよく、置換されてよく、Ｚ１〜６は、独立して、水素、ヒドロキシル、アミノ、アミド、Ｒ’、又はＲ”から選択される。一実施形態では、少なくとも１つのＺ１〜６はヒドロキシル基である。別の実施形態では、Ｚ１、Ｚ２、Ｚ５、及びＺ６は、独立して、水素、ヒドロキシル、アミノ、アミド、Ｒ’、又はＲ”から選択され、Ｚ３及びＺ４は水素である。
【００３６】
パーソナルケア組成物には、以降に更に詳細に記載する固形美容成分を可溶化させるのに十分な量のイソソルビドジエステルを含ませることができる。特定の実施形態では、パーソナルケア組成物は、固形美容成分を溶解させるため、固形美容成分１重量部毎に少なくとも２重量部のイソソルビドジエステルを含む。他の実施形態では、パーソナルケア組成物は、固形美容成分を溶解させるため、固形美容成分１重量部毎に少なくとも３重量部、５重量部、８重量部又は１０重量部のイソソルビドジエステルを含む。更に他の実施形態では、パーソナルケア組成物は、固形美容成分を溶解させるため、固形美容成分１重量部毎に少なくとも１６重量部又は３２重量部のイソソルビドジエステルを含む。選択的な実施形態では、パーソナルケア組成物は、約０．１％〜約９５％のイソソルビドジエステルを含み得る。例えば、パーソナルケア組成物は、０．１％、０．５％、１％、２％、５％、１０％、１５％、２０％、２５％、３０％、３５％、４０％、４５％、５０％、５５％、６０％、６５％、７０％、７５％、８０％又は８５％、〜約９０％、８５％、８０％、７５％、７０％、６５％、６０％、５５％、５０％、４５％、４０％、３５％、３０％、２５％、２０％、１５％、１０％、５％又は３％のイソソルビドジエステルを含み得る。
【００３７】
Ｃ．固形美容成分
パーソナルケア組成物は、イソソルビドジエステルに可溶性の少なくとも１つの固形（周囲条件下で）美容成分を含む。固形美容成分は、周囲条件下で固体である。固形美容成分は有機分子であってよい。固形美容成分は、非水溶性であってよい（すなわち、水溶性ビタミン等の親水性有効成分は除外される）。好適な固形美容成分としては、フラボノイド及びテトラヒドロクルクミノイド等のポリフェノール；ヒドロキシ酸；Ｎ−アシルアミノ酸化合物；フィトステロール；ヘキシルレゾルシノール；トコフェロールコハク酸エステル；及びグリチルレチン酸が挙げられる。ケラチン組織に固形美容成分を送達するため、固形美容成分は実質的に又は完全に溶解させることができ、すなわちこの場合、固形美容成分はパーソナルケア組成物中で固体又は結晶形態をとどめていない。
【００３８】
ポリフェノール化合物としては、米国特許第５，６８６，０８２号に広範に開示されるもの等のフラボノイドが挙げられる。代表的なフラボノイドとしては、１つ以上のフラボン、１つ以上のイソフラボン、１つ以上のクマリン、１つ以上のクロモン、１つ以上のジクマロール、１つ以上のクロマノン、１つ以上のクロマノール、これらの異性体（例えば、シス／トランス異性体）、及びこれらの混合物が挙げられる。好適なフラボン及びイソフラボンとして、非置換フラボン、非置換イソフラボン、ダイゼイン（７，４’−ジヒドロキシイソフラボン）、ゲニステイン（５，７，４’−トリヒドロキシイソフラボン）、エクオル（７，４’−イソフラバンジオール）、アピゲニン（４’，５，７−トリヒドロキシフラボン）、ケルセチン（２−（３，４−ジヒドロキシフェニル）−３，５，７−トリヒドロキシ−４Ｈ−クロメン−４−オン）、５，７−ジヒドロキシ−４’−メトキシイソフラボン、７，２’−ジヒドロキシフラボン、３’，４’−ジヒドロキシナフトフラボン、７，８−ベンゾフラボン、４’−ヒドロキシフラボン、５，６−ベンゾフラボン、大豆イソフラボン（例えば、大豆から抽出されたイソフラボン）、及び他の植物、真菌、又は細菌源のかかる混合物（例えば、ムラサキツメクサ）、並びにこれらの混合物が挙げられる。他の好適なフラボノイドとしては、ヘスペリチン、ヘスぺリジン及びこれらの混合物が挙げられる。他のポリフェノール化合物としては、テトラヒドロクルクミノイドが挙げられる。テトラヒドロクルクミノイドとしては、テトラヒドロクルクミン（すなわち、ＩＮＣＩ名テトラヒドロジフェルロイルメタン）、テトラヒドロデメトキシクルクミン（すなわち、ＩＮＣＩ名テトラヒドロデメトキシジフェルロイルメタン）、及びテトラヒドロビスメトキシクルクミン（すなわち、ＩＮＣＩ名テトラヒドロビスデメトキシジフェルロイルメタン）が挙げられる。
【００３９】
ヒドロキシ酸としては、α−及びβ−ヒドロキシ酸が挙げられる。好適なα−ヒドロキシ酸としては、グリコール酸、乳酸、りんご酸、クエン酸、酒石酸、及びこれらの誘導体が挙げられる。好適なβ−ヒドロキシ酸としては、サリチル酸、カルニチン及びこれらの誘導体が挙げられる。
【００４０】
本発明の局所用組成物は、１つ以上のＮ−アシルアミノ酸化合物を含み得る。このアミノ酸は、当該技術分野において既知の任意のアミノ酸の１つとすることができる。本発明のＮ−アシルアミノ酸化合物は、次式の化合物に相当する。
【００４１】
【化５】
2017140431.tif 000006
式中、Ｒは、水素、アルキル（置換又は非置換、分岐鎖又は直鎖）、又はアルキルと芳香族基との組み合わせであり得る。Ｒ１は、Ｃ１〜Ｃ３０、飽和又は不飽和、直鎖又は分岐鎖、置換又は非置換のアルキル；置換又は非置換の芳香族基；又はそれらの混合物であることができる。特定の実施形態では、Ｎ−アシルアミノ酸化合物は、Ｎ−アシルフェニルアラニン、Ｎ−アシルチロシン、これらの異性体、これらの塩、並びにこれらの誘導体からなる群から選択される。アミノ酸は、Ｄ異性体又はＬ異性体、あるいはこれらの混合物であってよい。代表的なＮ−アシルアミノ酸は、Ｎ−ウンデシレノイル−Ｌ−フェニルアラニンであり、アシル基は、Ｃ１１モノ不飽和脂肪酸部分であり、アミノ酸はフェニルアラニンのＬ−異性体である。Ｎ−ウンデシレノイル−Ｌ−フェニルアラニンは、ＳＥＰＰＩＣから商標名Ｓｅｐｉｗｈｉｔｅ（登録商標）で市販されている。
【００４２】
フィトステロールは、合成又は天然由来であってよく、純粋な化合物又は化合物の混合物（例えば、天然資源からの抽出物）として用いることができる。フィトステロールは、一般的に、植物油脂の不鹸化画分に見られ、遊離ステロール、アセチル化誘導体、ステロールエステル、エトキシル化又はグリコシド誘導体として利用可能である。代表的なフィトステロールとしては、β−シトステロール、カンペステロール、ブラシカステロール、δ−５−アヴェンナステロール（avennasterol）、ルペノール、α−スピナステロール、スティグマステロール、これらの誘導体、異性体、互変異性体及びこれらの組み合わせが挙げられる。これらの成分はＡｌｄｒｉｃｈ  Ｃｈｅｍｉｃａｌ  Ｃｏｍｐａｎｙ（Ｍｉｌｗａｕｋｅｅ，ＷＩ．）又はＳｉｇｍａ  Ｃｈｅｍｉｃａｌ  Ｃｏｍｐａｎｙ（Ｓｔ．Ｌｏｕｉｓ，ＭＯ）から市販されている。
【００４３】
その他の好適なスキンケア有効成分としては、ヘキシルレゾルシノール、グリチルレチン酸及びトコフェロールコハク酸エステルが挙げられる。
【００４４】
パーソナルケア組成物は、所望の効果を提供するのに十分な量の固形美容成分を含み得る。特定の実施形態では、パーソナルケア組成物は、組成物の約０．０１重量％〜約２０重量％の固形美容成分を含む。他の実施形態では、パーソナルケア組成物は、組成物の約０．０１重量％、０．１重量％、０．５重量％、１重量％、又は２重量％〜約１５重量％、１０重量％、６重量％、５重量％又は３重量％の固形美容成分を含む。
【００４５】
Ｄ．キャリア
パーソナルケア組成物は、１つ以上のキャリアを含み得る。キャリアは、安定性、美観及び／又はパーソナルケア組成物中に存在する他の成分との相溶性等の点から選択することができる。
【００４６】
好適なキャリアとしては、水及び／又は水混和性溶剤が挙げられる。パーソナルケア組成物は、約１重量％〜約９５重量％の水及び／又は水混和性溶剤を含んでもよい。組成物は、約１％、３％、５％、１０％、１５％、２０％、２５％、３０％、３５％、４０％、４５％、５０％、５５％、６０％、６５％、７０％、７５％、８０％又は９０％〜約９５％、９０％、８５％、８０％、７５％、７０％、６５％、６０％、５５％、５０％、４５％、４０％、３５％、３０％、２５％、２０％、１５％、１０％又は５％の水及び／又は水混和性溶媒を含み得る。好適な水混和性溶媒としては、一価アルコール、二価アルコール、多価アルコール、グリセロール、グリコール、ポリエチレングリコール等のポリアルキレングリコール、及びこれらの混合物が挙げられる。特に好適な溶媒としては、エタノール、プロパノール、ブタノール、イソプロパノール等の低級脂肪族アルコール；１，２−プロパンジオール、１，３−プロパンジオール、ブタンジオール、ペンタンジオール、ヘキサンジオール、ヘプタンジオール、デカンジオール等のジオール；グリセリン；水、及び、これらの混合物が挙げられる。特定の実施形態では、パーソナルケア組成物は、水、ジオール、グリセリン、及びこれらの混合物を含む。
【００４７】
好適なキャリアとしては、油も挙げられる。パーソナルケア組成物は、約０．１重量％〜約９５重量％の１つ以上の油を含んでもよい。組成物は、約０．１％、０．５％、１％、２％、５％、１０％、１５％、２０％、２５％、３０％、３５％、４０％、４５％、５０％、５５％、６０％、６５％、７０％、７５％，８０％、８５％、又は９０％〜約９０％、８５％、８０％、７５％、７０％、６５％、６０％、５５％、５０％、４５％、４０％、３５％、３０％、２５％、２０％、１５％、１０％、５％、又は３％の１つ以上の油を含んでもよい。油は、水又は水溶性溶剤に好適ではない物質を可溶化、分散、又は担持するために使用されてもよい。好適な油としては、シリコーン、炭化水素、エステル、アミド、エーテル、及びこれらの混合物が挙げられる。油は周囲条件下で流体であってよい。しかしながら、特定のパーソナルケア製品形態（すなわち、固体又は半固体のスティック）では、非流動性油である必要がある場合がある。油は、揮発性又は不揮発性であってもよい。「不揮発性」とは、０．１ＭＰａ（１気圧）、２５℃下で約０．０３ｋＰａ（０．２ｍｍ  Ｈｇ）以下の蒸気圧を示す物質、及び／又は、０．１ＭＰａ（１気圧）下で少なくとも約３００℃の沸点を有する物質を意味する。「揮発性」とは、２０℃下で少なくとも約０．２ｍｍ  Ｈｇの蒸気圧を示す物質を意味する。揮発性油は、重く油っぽい質感が望ましくない場合に、軽やかな質感を提供するために使用することができる。
【００４８】
天然油脂又は天然油脂誘導体等、特に植物又は動物由来の油脂の非限定例として、アンズ油、ババス油、ひまし油、ココヤシ油、タラ肝油、硬化コーン油、硬化綿実油、ヘーゼルナッツ油、ホホバ油、マカダミア油、メドウフォーム種子油、ミンク油、モリンガ油（maringa oil）、マルラ油、モルチエレラ油、パーム核油、硬化ピーナッツオイル、硬化菜種油、ローズヒップ油、硬化ベニバナ油、硬化大豆油、硬化ヒマワリ油、硬化クルミ油、硬化小麦粉芽油、又はこれらの硬化誘導体が挙げられる。
【００４９】
本明細書のキャリアとして好適な油脂のその他非限定例として、バター、Ｃ１２〜Ｃ１８アルキルトリグリセリド、カプリル酸／カプリン酸／ラウリン酸トリグリセリド、カプリル酸／カプリン酸／リノール酸トリグリセリド、カプリル酸／カプリン酸／ステアリン酸トリグリセリド、カプリル酸／カプリン酸トリグリセリド、カカオバター、Ｃ１０〜Ｃ１８アルキルトリグリセリド、卵油、エポキシ化大豆油、グリセリルトリアセチルヒドロキシステアレート、グリセリルトリアセチルリシノレエート、グリコスフィンゴリピド、硬化ひまし油、硬化ひまし油ラウレート、硬化ココヤシ油、硬化Ｃ１２〜Ｃ１８アルキルトリグリセリド、硬化魚油、硬化ラード、硬化メンハーデン油、硬化ミンク油、硬化オレンジラフィー油、硬化サメ肝油、硬化タロー、硬化植物油、ラノリン及びラノリン誘導体、ラノリンアルコール、ラード、ラウリン酸／パルミチン酸／オレイン酸トリグリセリド、レスクエレラ油、マレアート大豆油、牛脚油、オレイン酸／リノール酸トリグリセリド、オレイン酸／パルミチン酸／ラウリン酸／ミリスチン酸／リノール酸トリグリセリド、オレオステアリン、オリーブ外皮油、大網脂質、ペンガワージャンビ油（pengawar djambi oil）、ペンタデスマバター（pentadesma butter）、リン脂質、シアバター、タロー、トリベヘニン、トリカプリン、トリカプリリン、トリヘプタノイン、トリヒドロキシメトキシステアリン、トリヒドロキシステアリン、トリイソノナノイン、トリイソステアリン、トリラウリン、トリリノレイン、トリリノレニン、トリミリスチン、トリオクタノイン、トリオレイン、トリパルミチン、トリセバシン、トリステアリン、トリウンデカノイン等、並びにこれらの混合物が挙げられる。
【００５０】
好適な油としては揮発性油が挙げられる。特定の実施形態では、揮発性油は、２５℃で約０．５〜５平方ミリメートル／秒（０．５〜５センチストークス）の範囲の粘度を有し得る。皮膚への塗布後にスキンケア組成物をより急速に乾燥させるために、揮発性油を使用してもよい。不揮発性油も組成物での使用に好適である。不揮発性油は、皮膚の軟化及び保護特性を目的にしばしば使用される。
【００５１】
好適な油は、任意に精油物質を更に含んでよい。好適な精油物質の非限定的な実施例には、セキショウ、ローマカミツレ、タラゴン、バジル、ベルガモット、ウッドランドカラミント、ヒメウイキョウ、シーダー材、カモミール、シネオール、シナモン、桂皮、ダイダイ、クローブ、サイプレス、ディル、ユーカリ、オイゲノール、フランキンセンス、ガランゴル、ゼラニウム、ジンジャー、ハイビスカス、ホップ、ジャスミン、ジュニパー、ゲッケイジュ、ラベンダー、レモンバーム、レモングラス、レモン、リモネン、リナロール、酢酸リナリル、リッピアアルバ、マジョラム、メリッサ、ミルラ、ネロリ、ナツメグ、パシフローラ、パチョリ、ペパーミント、ピネン、ローズ、ローズウッド、ローズマリー、セージ、ビャクダン、スペアミン、スイートフェンネル、スイートオレンジ、ティーツリー、ゼドアリー（Zadoary）、タイム、バレリアン、イランイラン、ハイビスカス、又はこれらの混合物が挙げられる。覚醒に関連する好ましい精油には、サイプレス、ハイビスカス、ジュニパー、シネオール、シトラス、スイートオレンジ、及びローズマリーが挙げられる。調和効果に関連する好ましい油には、ラベンダー、ネロリ、及びイランイランが挙げられる。
【００５２】
上述のような本明細書の特定の精油は、組成物の約０．０００１重量％〜約１０．０重量％、約０．０００１重量％〜約３．０重量％、約０．０００１重量％〜約０．１重量％、約０．００１重量％〜約１重量％、又は約０．０１重量％〜約１．０重量％の範囲の濃度でキャリアに混合され得る。精油はまた、本明細書の油材料にプレミックスで調製し得る。それでもなお、精油の最終濃度は上記の範囲内となる。
【００５３】
その他好適な油として、ω−６脂肪酸に富んだものが挙げられる。ω脂肪酸等の不飽和脂肪酸は、不安定になりやすく容易に酸化しやすい。酸化は、温度、光、空気、酸素、水分、及び金属（金属は触媒として作用できる）等の複数の原因によって促進され得る。例えば、Ｂｅｌｉｔｚ  Ｈ−Ｄ、Ｇｒｏｓｃｈ  Ｗ及びＳｃｈｉｅｂｅｒｌｅ  Ｐ著のＬｉｐｉｄｓ  Ｆｏｏｄ  Ｃｈｅｍｉｓｔｒｙ  ３ｒｄ  ｅｄ．Ｓｐｒｉｎｇｅｒ−Ｖｅｒｌａｇ，Ｈｅｉｄｅｌｂｅｒｇ，２００４，ｐ．１５７〜２４２を参照されたい。事実、製品製造に関する一般的源は不安定性を促進し得る。例えば、組成物の成分を融解及び混合することは、（ローション組成物成分の融点より高い温度、例えば７０℃を超える温度までの）高温を必要とする場合がある。融解させ、組成物の均一性を保持するために、組成物を適用するタンクを、撹拌しながら高温（例えば、６０℃を超える、好ましくは７０℃より高い）に熱することが一般的である。更に、組成物は、相当の時間（例えば、２４時間を超える）タンク内に留まり得る。不安定性の別の源は最終製品の棚での保存であり得る。製品が、（店内で又は家で）棚の上に少なくとも１年、２年、又は３年留まったままであることは珍しいことではなく、地理的な位置によっては、保管場所の温度は４０℃を上回る場合がある。総じて、これらの因子は酸化及び活性酸素フリーラジカル又は活性酸素の生成につながり得る。これは、変色等の製品変質（つまり、黄変）及び／又は敗油臭につながり得る。皮膚（角化又は非角化）と接触すると、活性酸素が皮膚のバリア機能を傷つける場合がある。
【００５４】
酸化安定性をモニタリングする一般基準は、経時的なヒドロペルオキシドの発生（過酸化物価又はＰＶ）である。酸化安定性はまた、試料を高温で曝気する場合の、二次的酸化生成物を得るのに必要な時間で表わすことができる。酸化安定性の好適な基準は油安定指標（本明細書では「ＯＳＩ」を指する）と呼ばれる。油材料のＯＳＩはＡｍｅｒｉｃａｎ
Ｏｉｌ  Ｃｈｅｍｉｃａｌ  ＳｏｃｉｅｔｙのＯｉｌ  Ｓｔａｂｉｌｉｔｙ  Ｉｎｄｅｘ  Ｍｅｔｈｏｄ（ＡＯＣＳ  Ｏｆｆｉｃｉａｌ  Ｍｅｔｈｏｄ  Ｃｄ  １２ｂ−９２）によって測定できる。
【００５５】
一実施形態では、本発明の油材料は、１１０℃において少なくとも約１０時間、１１０℃において少なくとも約１４時間、又は１１０℃において少なくとも約１８時間の油安定指標（「ＯＳＩ」）を有するように選択される。
【００５６】
比較的高濃度のオレイン酸を含む油材料は、本発明の関連においてより安定する傾向があると考えられる。一実施形態では、本発明の油材料は、油材料中少なくとも約１０重量％の、約１０重量％〜約８０重量％の、又は約１５重量％〜約７０重量％のオレイン酸を含む。一実施形態では、組成物は、組成物の約０．０００５重量％〜約１６重量％、約０．００５重量％〜約１２重量％、又は約０．０１重量％〜約８重量％のオレイン酸を含む。
【００５７】
比較的低濃度のリノレン酸（ω−３脂肪酸）を含む油材料は、本発明の関連においてより安定する傾向があると考えられる。一実施形態では、本発明の油材料は、油材料中約１０重量％以下の、約１０重量％〜約５重量％の、又は約５重量％〜約０重量％のリノレン酸を含む。一実施形態では、組成物は、組成物の約２重量％〜約０重量％、約１重量％〜約０重量％、又は約０．５重量％〜約０重量％のリノレン酸を含む。
【００５８】
本明細書で説明する所望の特性を示す好適な油材料の非限定例として、オレイン酸キャノーラ油（Ｂｒａｓｓｉｃａ  ｃａｍｐｅｓｔｒｉｓ、Ｂ．ｎａｐｕｓ，Ｂ．ｒａｐａ；７０％を超えるオレイン酸含量を特徴とするもの、例えば、高オレイン酸キャノーラ油、超高オレイン酸キャノーラ油、又は部分硬化キャノーラ油）、マルラカーネル油（Ｓｃｌｅｒｏｃａｒｙａ  ｂｉｒｒｅａ）、パーム油（Ｅｌａｅｉｓ  Ｇｕｉｎｅｅｎｓｉｓ  Ｏｉｌ）、パームオレイン、パームステアリン、パームスーパーオレイン、ペカン油、パンプキンシードオイル、オレイン酸ベニバナ油（Ｃａｒｔｈａｍｕｓ  Ｔｉｎｃｔｏｒｉｕｓ、約３０％を超えるオレイン酸含量及び約５０％未満のω−６脂肪酸含量を特徴とするもの、例えば、高オレイン酸ベニバナ油）、ゴマ油（Ｓｅｓａｍｕｍ  ｉｎｄｉｃｕｍ、Ｓ．ｏｒｅｉｎｔａｌｅ）、大豆油（Ｇｌｙｃｉｎｅ  ｍａｘ、例えば、高オレイン酸大豆油、低リノレン酸大豆油、部分硬化したもの）、オレイン酸ヒマワリ油（Ｈｅｌｉａｎｔｈｕｓ  ａｎｎｕｓ、約４０％を超えるオレイン酸含量を特徴とするもの、例えば、中オレイン酸ヒマワリ油又は高オレイン酸ヒマワリ油）、及びこれらの混合物が挙げられる。オレイン酸キャノーラ油、パーム油、ゴマ油、高オレイン酸ベニバナ油、高オレイン酸大豆油、中オレイン酸ヒマワリ油、及び高オレイン酸ヒマワリ油は、一般的な栽培作物由来の油であり、非遺伝子組み換え生物（非ＧＭＯ）由来であってもよい。
【００５９】
油材料の非限定例は、多数の業者から市販されており、Ｃａｒｇｉｌｌの部分硬化大豆油（すなわち、Ｐｒｅｆｅｒｅｎｃｅ（登録商標）１１０Ｗ大豆油又はＰｒｅｆｅｒｅｎｃｅ（登録商標）３００高安定性大豆油）、中オレイン酸ヒマワリ油（すなわち、ＮｕＳｕｎ（登録商標）中オレイン酸ヒマワリ油）、高オレイン酸ヒマワリ油（すなわち、Ｃｌｅａｒ  Ｖａｌｌｅｙ（登録商標）高オレイン酸ヒマワリ油）、高オレイン酸キャノーラ油、超高オレイン酸キャノーラ、及び部分硬化低エルカ酸菜種油（すなわち、Ｃｌｅａｒ
Ｖａｌｌｅｙ（登録商標）６５高オレイン酸キャノーラ油、及びＣｌｅａｒ  Ｖａｌｌｅｙ（登録商標）７５高オレイン酸キャノーラ油）、Ｌａｍｂｅｒｔ  Ｔｅｃｈｎｏｌｏｇｙの高オレイン酸キャノーラ油（すなわち、Ｏｌｅｏｃａｌ  Ｃ１０４）、Ａｒｃｈ  Ｐｅｒｓｏｎａｌ  Ｃａｒｅのマルラカーネル油、Ｐｉｏｎｅｅｒの高オレイン酸大豆油（すなわち、Ｐｌｅｎｉｓｈ（登録商標）、Ａｓｏｙｉａの低リノレン酸大豆油（すなわち、Ｕｌｔｒａ  Ｌｏｗ  Ｌｉｎｏｌｅｎｉｃ  Ｓｏｙｂｅａｎ  Ｏｉｌ（登録商標））、並びに、Ｄｉｐａｓａ，Ｉｎｃ．の精製ゴマ油が挙げられる。
【００６０】
油材料の等級は、本明細書で説明する油材料の所望の特性を達成することにおいても重要であり得ることに注目すべきである。例えば、同一の油（例えば、ゴマ油）は油材料の源次第で広範囲のＯＳＩ値を示し得るので、油材料の源は重要であり得る。
【００６１】
油材料は上述の油材料及び追加の油材料を含む、油の配合物を更に含み得る。更なる好適な油材料には、アサイー果実油、アーモンド油、アボカド油、ブナノキ油、ブラジルナッツ油、アマナズナ油（Ｂｒａｓｓｉｃａｃｅａｅ科、例えば、Ｃａｍｅｌｉｎａ  Ｓａｔｉｖａ、Ｇｏｌｄ  ｏｆ  Ｐｌｅａｓｕｒｅ、Ｆａｌｓｅ  Ｆｌａｘ等）、ツバキ種油、キャノーラ油、ニンジン種油、カシューナッツ油、ひまし油、さくらんぼ核油、チア油、コーン油、綿実油、硬化綿実油、月見草油、ハシバミ（ヘーゼルナッツ）油、グレープシードオイル、ヘンプオイル、ヒッコリー実油、ホホバ油、ククイ油、ラノリン、オリーブ油（Ｏｌｅａ  ｅｕｒｏｐａｅａ）、マカダミア油、モリンガ油、メドウフォーム油、インドセンダン油、パーム核油、オリーブ油、トケイソウ油（Ｐａｓｓｉｆｌｏｒａ科、Ｐａｓｓｉｆｌｏｒａ  Ｉｎｃａｒｎａｔａ）、ピーナッツオイル、モモ核油、ピスタチオナッツ油、菜種油、米糠油、ローズヒップ油、ベニバナ油、サトウモロコシ油、大豆油、ヒマワリ種子油、トール油、植物油、植物スクワレン、クルミ油、小麦粉芽油、及びこれらの混合物が挙げられる。本発明の油材料は、アマナズナ種子油、オレイン酸キャノーラ油、月見草油、マルラカーネル油、パーム油、パームオレイン、パームステアリン、パームスーパーオレイン、チャボトケイソウ種子油、ペカン油、パンプキンシードオイル、オレイン酸ベニバナ油、ゴマ油、大豆油、オレイン酸ヒマワリ油、植物油、及びこれらの混合物からなる群から選択されてもよい。
【００６２】
本発明の好ましい油材料として、植物油とアマナズナ種子油との混合物（Ａａｒｈｕｓ
Ｋａｒｌｓｈａｍｎ  Ｓｗｅｄｅｎ  ＡＢからＬｉｐｅｘ（登録商標）Ｏｍｅｇａ  ３／６として市販）、植物油とチャボトケイソウ種子油との混合物（Ａａｒｈｕｓ  Ｋａｒｌｓｈａｍｎ  Ｓｗｅｄｅｎ  ＡＢからＬｉｐｅｘ（登録商標）Ｏｍｅｇａ  Ｐａｓｓｉｆｌｏｒａとして市販）、植物油と月見草油との混合物（Ａａｒｈｕｓ  Ｋａｒｌｓｈａｍｎ  Ｓｗｅｄｅｎ  ＡＢからＬｉｐｅｘ  Ｏｍｅｇａ  ＥＰＯとして市販）、高オレイン酸キャノーラ油、（ＣａｒｇｉｌｌからＣｌｅａｒ  Ｖａｌｌｅｙ（登録商標）７５高オレイン酸キャノーラ油として市販）、又はこれらの混合物が挙げられる。
【００６３】
好適なシリコーン油としては、ポリシロキサンが挙げられる。ポリシロキサンは、２５℃で、約０．５〜約１，０００，０００平方ミリメートル／秒（約０．５〜約１，０００，０００センチストークス）の粘度を有し得る。このようなポリシロキサンは、一般化学式：
Ｒ３ＳｉＯ［Ｒ２ＳｉＯ］ｘＳｉＲ３
により表すことができ、式中、Ｒは、独立して、水素又はＣ１〜３０直鎖若しくは分岐鎖、飽和若しくは不飽和アルキル、フェニル若しくはアリール、トリアルキルシロキシから選択され、ｘは、所望の分子を得るために選択される０〜約１０，０００の整数である。所定の実施形態では、Ｒは水素、メチル、又はエチルである。市販のポリシロキサンとしては、ジメチコンとしても既知である、ポリジメチルシロキサンが挙げられ、その例としては、Ｓｈｉｎ−Ｅｔｓｕ製のＤＭ−Ｆｌｕｉｄシリーズ、Ｍｏｍｅｎｔｉｖｅ  Ｐｅｒｆｏｒｍａｎｃｅ  Ｍａｔｅｒｉａｌｓ  Ｉｎｃ．から販売されているＶｉｃａｓｉｌ（登録商標）シリーズ、及びＤｏｗ  Ｃｏｒｎｉｎｇ  Ｃｏｒｐｏｒａｔｉｏｎから販売されているＤｏｗ  Ｃｏｒｎｉｎｇ（登録商標）２００シリーズが挙げられる。好適なポリジメチルシロキサンの具体例として、０．６５、１．５、５０、１００、３５０、１０，０００、１２，５００、１００，０００、及び３００，０００平方ミリメートル／秒（０．６５、１．５、５０、１００、３５０、１０，０００、１２，５００、１００，０００、及び３００，０００センチストークス）の粘度を有する、Ｄｏｗ  Ｃｏｒｎｉｎｇ（登録商標）２００流体（Ｘｉａｍｅｔｅｒ（登録商標）ＰＭＸ−２００シリコーン流体としても販売されている）が挙げられる。
【００６４】
好適なジメチコンとしては、化学式：
Ｒ３ＳｉＯ［Ｒ２ＳｉＯ］ｘ［ＲＲ’ＳｉＯ］ｙＳｉＲ３
により表されるものが挙げられ、式中、Ｒ及びＲ’は、それぞれ独立して、水素又はＣ１〜３０直鎖若しくは分岐鎖飽和若しくは不飽和アルキル、アリール若しくはトリアルキルシロキシであり、ｘ及びｙは、それぞれ、所望の分子量を得るために選択される１〜１，０００，０００の整数である。好適なシリコーンとしては、フェニルジメチコン（Ｂｏｔａｎｉｇｅｎｉｃｓ，Ｉｎｃ．のＢｏｔａｎｓｉｌ（商標）ＰＤ−１５１）、ジフェニルジメチコン（Ｓｈｉｎ−ＥｔｓｕのＫＦ−５３及びＫＦ−５４）、フェニルトリメチコン（Ｄｏｗ  Ｃｏｒｎｉｎｇの５５６コスメチック・グレード液）、又はトリメチルシロキシフェニルジメチコン（Ｗａｃｋｅｒ−ＢｅｌｓｉｌのＰＤＭ−２０、ＰＤＭ−２００、又はＰＤＭ−１０００）が挙げられる。他の例としては、少なくともＲ’が脂肪族アルキル（例えば、Ｃ１２〜２２）であるアルキルジメチコンが挙げられる。好適なアルキルジメチコンはセチルジメチコンであり、式中、Ｒ’は直鎖Ｃ１６鎖であり、Ｒはメチルである。セチルジメチコンは、２５０２コスメチック・フルイドとしてＤｏｗ  Ｃｏｒｎｉｎｇから、あるいはＡｂｉｌ  Ｗａｘ  ９８０１又は９８１４としてＥｖｏｎｉｋ  Ｇｏｌｄｓｃｈｍｉｄｔ  ＧｍｂＨから入手可能である。
【００６５】
環状シリコーンは組成物に使用され得るシリコーンオイルの一種である。このようなシリコーンは、一般式：
【００６６】
【化６】
2017140431.tif 000007
を有し、式中、Ｒは、独立して、水素又はＣ１〜３０直鎖若しくは分岐鎖、飽和若しくは不飽和アルキル、フェニル若しくはアリール、トリアルキルシロキシから選択され、ｎ＝３〜８であり、これらの混合物である。一般的に、ｎが４、５及び／又は６であるシクロメチコンの混合物が使用される。市販のシクロメチコンとしては、Ｄｏｗ  Ｃｏｒｎｉｎｇ  ＵＰ−１００１  Ｕｌｔｒａ  Ｐｕｒｅ  Ｆｌｕｉｄ（すなわち、ｎ＝４）、Ｄｏｗ  Ｃｏｒｎｉｎｇ  ＸＩＡＭＥＴＥＲ（登録商標）ＰＭＸ−０２４５（すなわち、ｎ＝５）、Ｄｏｗ  Ｃｏｒｎｉｎｇ  ＸＩＡＭＥＴＥＲ（登録商標）ＰＭＸ−０２４５（すなわち、ｎ＝６）、Ｄｏｗ  Ｃｏｒｎｉｎｇ２４５流体（すなわち、ｎ＝４及び５）、並びにＤｏｗ  Ｃｏｒｎｉｎｇ３４５流体（すなわち、ｎ＝４、５及び６）が挙げられる。
【００６７】
好適な炭化水素油としては、直鎖、分岐鎖、又は環状アルカン及びアルケンが挙げられる。鎖長は、揮発性等の所望の機能特徴に基づき選択されてもよい。好適な揮発性炭化水素は、５〜２０の炭素原子、あるいは、８〜１６の炭素原子を有してもよい。
【００６８】
他の好適な油としては、エステルが挙げられる。好適なエステルは、典型的には、少なくとも１０個の炭素原子を含有した。これらのエステルとしては、脂肪酸又はアルコールに由来するヒドロカルビル鎖とのエステル（例えば、モノエステル、多価アルコールエステル、及びジ−及びトリ−カルボン酸エステル）が挙げられる。このエステルのヒドロカルビルラジカルは、アミド及びアルコキシ部分（例えば、エトキシ又はエーテル結合等）のような他の適合性のある官能基を含むか、又はこのヒドロカルビルラジカルをこうした官能基へ共有結合させてよい。例示的なエステルとしては、イソステアリン酸イソプロピル、ラウリン酸ヘキシル、ラウリン酸イソヘキシル、パルミチン酸イソヘキシル、パルミチン酸イソプロピル、オレイン酸デシル、オレイン酸イソデシル、ステアリン酸ヘキサデシル、ステアリン酸デシル、イソステアリン酸イソプロピル、アジピン酸ジヘキシルデシル、乳酸ラウリル、乳酸ミリスチル、乳酸セチル、ステアリン酸オレイル、オレイン酸オレイル、ミリスチン酸オレイル、酢酸ラウリル、プロピオン酸セチル、Ｃ１２〜１５安息香酸アルキル、アジピン酸ジイソプロピル、アジピン酸ジブチル及びアジピン酸オレイルが挙げられるが、これらに限定されない。他の好適なエステルは、Ｐｅｒｓｏｎａｌ  Ｃａｒｅ  Ｐｒｏｄｕｃｔ  Ｃｏｕｎｃｉｌ’ｓ  Ｉｎｔｅｒｎａｔｉｏｎａｌ  Ｃｏｓｍｅｔｉｃ  Ｉｎｇｒｅｄｉｅｎｔ  Ｄｉｃｔｉｏｎａｒｙ  ａｎｄ  Ｈａｎｄｂｏｏｋ，Ｔｈｉｒｔｅｅｎｔｈ  Ｅｄｉｔｉｏｎ，２０１０の「Ｅｓｔｅｒｓ」の機能カテゴリに更に記載されている。パーソナルケア組成物での使用に好適なその他エステルとして、多価アルコールエステル及びグリセリドとして知られるものが挙げられる。
【００６９】
他の好適な油としては、アミドが挙げられる。アミドとしては、２５℃で液体であり、水に不溶性である、アミド官能基を有する化合物が挙げられる。好適なアミドとして、Ｎ−アセチル−Ｎ−ブチルアミノプロピオネート、イソプロピルＮ−ラウロイルサルコシネート、イソプロピルラウロイルサルコシネート、及びＮ，Ｎ，−ジエチルトルアミドが挙げられる。他の好適なアミドは、米国特許第６，８７２，４０１号に開示されている。
【００７０】
他の好適な油としては、エーテルが挙げられる。好適なエーテルとしては、多価アルコールの飽和及び不飽和脂肪エーテル、並びにそれらのアルコキシル化誘導体が挙げられる。代表的なエーテルとしては、ポリプロピレングリコールのＣ４〜２０アルキルエーテル、及びジ−Ｃ８〜３０アルキルエーテルが挙げられる。これらの物質の好適な例としては、ＰＰＧ−１４ブチルエーテル、ＰＰＧ−１５ステアリルエーテル、ジオクチルエーテル、ドデシルオクチルエーテル、及びこれらの混合物が挙げられる。
【００７１】
パーソナルケア組成物には乳化剤を含ませてもよい。乳化剤は、組成物がエマルションの形態にある時、又は不混和性物質が混合されている場合、特に好適である。スキンケア組成物は、約０．０５％、０．１％、０．２％、０．３％、０．５％、又は１％〜約２０％、１０％、５％、３％、２％、又は１％の乳化剤を含んでもよい。乳化剤は、非イオン性、アニオン性、又はカチオン性であり得る。乳化剤の非限定的な例は、米国特許第３，７５５，５６０号、同第４，４２１，７６９号、及びＭ．Ｃ．Ｐｕｂｌｉｓｈｉｎｇ  Ｃｏ．から発行されたＭｃＣｕｔｃｈｅｏｎのＥｍｕｌｓｉｆｉｅｒｓ  ａｎｄ  Ｄｅｔｅｒｇｅｎｔｓ，２０１０  Ａｎｎｕａｌ  Ｅｄ．に開示されている。他の好適な乳化剤は、ｔｈｅ  Ｐｅｒｓｏｎａｌ  Ｃａｒｅ  Ｐｒｏｄｕｃｔ  Ｃｏｕｎｃｉｌ’ｓ  Ｉｎｔｅｒｎａｔｉｏｎａｌ  Ｃｏｓｍｅｔｉｃ  Ｉｎｇｒｅｄｉｅｎｔ  Ｄｉｃｔｉｏｎａｒｙ  ａｎｄ  Ｈａｎｄｂｏｏｋ，Ｔｈｉｒｔｅｅｎｔｈ  Ｅｄｉｔｉｏｎ，２００６の「Ｓｕｒｆａｃｔａｎｔｓ−Ｅｍｕｌｓｉｆｙｉｎｇ  Ａｇｅｎｔｓ」の機能カテゴリに更に記載されている。
【００７２】
好適な乳化剤としては、以下の部類のエーテル及びエステルが挙げられる：ポリグリコールと脂肪族アルコールのエーテル、ポリグリコールと脂肪酸のエステル、ポリグリコールと脂肪族アルコールのグリコシル化エーテル、ポリグリコールと脂肪酸のグリコシル化エステル、Ｃ１２〜３０アルコールとグリセロール又はポリグリセロールのエーテル、Ｃ１２〜３０脂肪酸とグリセロール又はポリグリセロールのエステル、オキシアルキレン修飾Ｃ１２〜３０アルコールとグリセロール又はポリグリセロールのエーテル、含むＣ１２〜３０脂肪族アルコールとショ糖又はグルコースのエーテル、ショ糖とＣ１２〜３０脂肪酸のエステル、ペンタエリスリトールとＣ１２〜３０脂肪酸のエステル、ソルビトール及び／又はソルビタンとＣ１２〜３０脂肪酸のエステル、ソルビトール及び／又はソルビタンとアルコキシ化ソルビタンのエーテル、ポリグリコールとコレステロールのエーテル、Ｃ１２〜３０脂肪酸とソルビトール及び／又はソルビタンのアルコキシ化エーテルのエステル、並びにこれらの組み合わせ。
【００７３】
直鎖又は分岐鎖タイプのシリコーン乳化剤もまた、使用され得る。特に有用なポリエーテル修飾シリコーンとしては、Ｓｈｉｎ  ＥｔｓｕのＫＦ−６０１１、ＫＦ−６０１２、ＫＦ−６０１３、ＫＦ−６０１５、ＫＦ−６０１５、ＫＦ−６０１７、ＫＦ−６０４３、ＫＦ−６０２８、及びＫＦ−６０３８が挙げられる。また、特に有用なのは、Ｓｈｉｎ  ＥｔｓｕのＫＦ−６１００、ＫＦ−６１０４、及びＫＦ−６１０５を含むポリグリセロール化直鎖又は分岐鎖シロキサン乳化剤である。
【００７４】
乳化剤としては、乳化シリコーンエラストマーも挙げられる。好適な乳化シリコーンエラストマーとしては、少なくとも１つのポリアルキルエーテル又はポリグリセロール化単位が挙げられ得る。本発明の少なくとも１つの実施形態で用いることができるポリオキシアルキレン化（Polyoxyalylenated）乳化性シリコーンエラストマーとしては、ＫＳＧ−２１、ＫＳＧ−２０、ＫＳＧ−３０、ＫＳＧ−３１、ＫＳＧ−３２、ＫＳＧ−３３；ＫＳＧ−２１０（ジメチコン中に分散したジメチコン／ＰＥＧ−１０／１５クロスポリマー）；ＫＳＧ−３１０（ＰＥＧ−１５ラウリルジメチコンクロスポリマー）；ＫＳＧ−３２０（イソドデカン中に分散したＰＥＧ−１５ラウリルジメチコンクロスポリマー）；ＫＳＧ−３３０（トリエチルヘキサノイン中に分散したＰＥＧ−１５ラウリルジメチコンクロスポリマー）、ＫＳＧ−３４０（ＰＥＧ−１０ラウリルジメチコンクロスポリマー及びＰＥＧ−１５ラウリルジメチコンクロスポリマー）の名前でＳｈｉｎ−Ｅｔｓｕ  Ｓｉｌｉｃｏｎｅｓから販売されているものが挙げられる。ＰＥＧ−１２ジメチコンクロスポリマー（ＤＣ９０１０及び９０１１）を含む他のシリコーン乳化エラストマーが、Ｄｏｗ  Ｃｏｒｎｉｎｇ（商標）によって供給されている。Ｄｏｗ  Ｃｏｒｎｉｎｇによって販売されている他の好適なシリコーン乳化剤としては、ＤＣ９０１０及びＤＣ９０１１が挙げられる。国際公開第２００４／０２４７９８号には、ポリグリセロール化乳化シリコーンエラストマーが開示される。このようなエラストマーには、Ｓｈｉｎ−ＥｔｓｕのＫＳＧシリーズ、例えば、ＫＳＧ−７１０（ジメチコンに分散したジメチコン／ポリグリセリン−３クロスポリマー）が挙げられ、あるいは、Ｓｈｉｎ−ＥｔｓｕからＫＳＧ−８１０、ＫＳＧ−８２０、ＫＳＧ−８３０、又はＫＳＧ−８４０として入手可能な、イソドデカン、ジメチコン、トリエチルヘキサノイン等の各種溶媒に分散したラウリルジメチコン／ポリグリセリン−３クロスポリマーが挙げられる。
【００７５】
粘度を増加させるために、パーソナルケア組成物を濃化、凝固、又はそれに固体若しくは結晶構造を提供するために、構造剤を使用してもよい。構造剤は、典型的には、溶解性、分散性、又は相適合性に基づき分類される。水性又は水構造剤の例としては、高分子剤、天然又は合成ゴム、多糖類等が挙げられる。一実施形態では、組成物は、組成物の重量で約０．０００１％、０．００１％、０．０１％、０．０５％、０．１％、０．５％、１％、２％、３％、５％〜約２５％、２０％、１０％、７％、５％、４％、又は２％の１つ以上の構造剤を含んでもよい。
【００７６】
多糖類及びゴムは、好適な水相増粘剤であってもよい。ポリマー構造剤の好適なクラスとしては、カルボン酸ポリマー、ポリアクリルアミドポリマー、スルホン酸化ポリマー、高分子量ポリアルキルグリコール又はポリグリセリン、これらのコポリマー、これらの疎水的に修飾された誘導体、及びこれらの混合物が挙げられるがこれらに限定されない。
【００７７】
油性構造剤の例としては、シリコーン及び有機系材料が挙げられる。油性構造化剤の好適な濃度範囲は、約０．０１％、０．０５％、０．１％  ０．５％、１％、２．５％、５％、又は１０％〜約３０％、２５％、２０％、１５％、１０％、又は５％である。シリコーンエラストマー、シリコーンガム、シリコーンワックス、シリコーンにより油相の粘度が増加する程度に重合度を有する線状シリコーン等の、シリコーン系の油相構造化剤が好適なものであり得る。シリコーン構造化剤の例としては、限定するものではないが、シリコーンエラストマー、シリコーンガム、及びシリコーンワックスが挙げられる。
【００７８】
好適なシリコーンエラストマーは、粉末形態であってもよく、又は揮発性若しくは不揮発性シリコーン等の溶媒、又はパラフィン系炭化水素若しくはエステル等のシリコーン相溶性媒体中で分散又は可溶化されてもよい。シリコーンエラストマー粉末の例としては、Ｓｈｉｎ−Ｅｔｓｕから入手可能な、ＫＳＰ−１００、ＫＳＰ−１０１、ＫＳＰ−１０２、ＫＳＰ−１０３、ＫＳＰ−１０４、ＫＳＰ−１０５等の、ビニルジメチコン／メチコンシルセスキオキサンクロスポリマー、Ｓｈｉｎ−Ｅｔｓｕから入手可能な、ＫＳＰ−２００等の、フルオロアルキル基を含有するハイブリッド型シリコーン粉末（この粉末はフルオロ−シリコーンエラストマーである）、並びにＳｈｉｎ−Ｅｔｓｕから入手可能な、ＫＳＰ−３００等の、フェニル基を含有するハイブリッド型シリコーン粉末（この粉末は、フェニル置換されたシリコーンエラストマーである）；並びにＤｏｗ  Ｃｏｒｎｉｎｇから入手可能な、ＤＣ  ９５０６が挙げられる。
【００７９】
シリコーンエラストマー分散液の例としては、Ｄｏｗ  Ｃｏｒｎｉｎｇ  Ｃｏｒｐｏｒａｔｉｏｎから商品名ＤＣ９０４０又はＤＣ９０４１で市販のもの、Ｍｏｍｅｎｔｉｖｅから商品名ＳＦＥ  ８３９で市販のもの、又はＳｈｉｎ−Ｅｔｓｕ  Ｓｉｌｉｃｏｎｅｓから商品名ＫＳＧ−１５、１６、１８で市販のもの等、各種供給元から供給されるジメチコン／ビニルジメチコンクロスポリマーが挙げられる。ＫＳＧ−１５は、ＩＮＣＩ名シクロペンタシロキサン（及び）ジメチコン／ビニルジメチコンクロスポリマーを有する。ＫＳＧ−１８は、ＩＮＣＩ名ジフェニルシロキシフェニルトリメチコン（及び）ジメチコン／フェニルビニルジメチコンクロスポリマーを有する。シリコーンエラストマーは、Ｇｒａｎｔ  Ｉｎｄｕｓｔｒｉｅｓから、Ｇｒａｎｓｉｌ（商標）として購入することもできる。Ｓｈｉｎ  Ｅｔｓｕから商品名ＫＳＧ−４１、ＫＳＧ−４２、ＫＳＧ−４３及びＫＳＧ−４４で供給されるラウリルジメチコン／ビニルジメチコンクロスポリマー等、長鎖アルキル置換を有するその他のシリコーンエラストマーが好適である場合もあり、この場合、エラストマーはそれぞれ、鉱油、イソドカン、トリエチルヘキサノイン又はスクアレン等の溶媒に分散している。Ｓｈｉｎ  Ｅｔｓｕから商品名ＫＳＧ−８１０、ＫＳＧ−８２０、ＫＳＧ−８３０、及びＫＳＧ−８４０で供給される、ラウリルジメチコン／ポリグリセリン−３クロスポリマー等、ポリグリセリン置換を有するその他のシリコーンエラストマーが好適である場合もあり、この場合、エラストマーはそれぞれ、鉱油、イソドカン、トリエチルヘキサノイン又はスクアレン等の溶媒に分散している。Ｓｈｉｎ  Ｅｔｓｕから、商品名ＫＳＧ−３１０、ＫＳＧ−３２０、ＫＳＧ−３３０、及びＫＳＧ−３４０で市販のＰＥＧ−１５／ラウリルジメチコン架橋ポリマー等、ポリグリコール置換を有するその他のシリコーンエラストマーが好適である場合もあり、この場合、エラストマーはそれぞれ、鉱油、イソドカン、トリエチルヘキサノイン又はスクアレン等の溶媒に分散している。ポリグリコール置換を有する他の好適なシリコーンエラストマーとしては、Ｓｈｉｎ
ＥｔｓｕのＫＳＧ−２１０、すなわちジメチコン／ＰＥＧ−１０／１５クロスポリマーのジメチコン溶液が挙げられる。
【００８０】
シリコーンゴムは、別の油相構造剤である。シリコーンゴムは、典型的には、２５℃で約５００，０００〜１００百万ｍｍ２／ｓ（５００，０００〜１００百万ｃｓｔ）、約６００，０００〜２０百万、約６００，０００〜１２百万ｍｍ２／ｓ（約６００，０００〜２０百万、約６００，０００〜１２百万ｃｓｔ）の範囲の粘度を有する。好適なシリコーンゴムとしては、Ｗａｃｋｅｒ−Ｂｅｌｓｉｌから商品名ＣＭ３０９２、Ｗａｃｋｅｒ−Ｂｅｌｓｉｌ  １０００、又はＷａｃｋｅｒ−Ｂｅｌｓｉｌ  ＤＭ  ３０９６で市販のものが挙げられる。商品名１−１２５４フルイド、２−９０２３フルイド、及び２−９０２６フルイドでＤｏｗ  Ｃｏｒｎｉｎｇ  Ｃｏｒｐｏｒａｔｉｏｎから入手可能なジメチコノールは、特に好適なシリコーンゴムである。ジメチコノールは、多くの場合、Ｄｏｗ  Ｃｏｒｎｉｎｇ  １４０１フルイド、１４０３フルイド及び１５０１フルイド等のように、揮発性又は不揮発性シリコーンとの混合物として市販される。
【００８１】
別の種類の油相構造剤としては、シリコーンワックスが挙げられる。シリコーンワックスは、アルキルシリコーンワックスと称されてもよく、それらは、周囲条件で半固体又は固体である。用語「アルキルシリコーンワックス」は、シロキサンに半固体又は固体特性を付与する置換長鎖アルキル（Ｃ１６〜３０等）を有する、ポリジメチルシロキサンを意味する。このようなシリコーンワックスの例としては、Ｅｖｏｎｉｋ  Ｇｏｌｄｓｃｈｍｉｄｔ  ＧｍｂＨから商品名Ａｂｉｌ  Ｗａｘ  ９８００で購入可能な、あるいはＤｏｗ
Ｃｏｒｎｉｎｇから商品名２５０３で購入可能なステアリルジメチコンが挙げられる。
他の例としては、ビス−ステアリルジメチコン（Ｇｒａｎｓｉｌ  Ｉｎｄｕｓｔｒｉｅｓから商品名Ｇｒａｎｓｉｌ  Ａ−１８で購入可能）、ベヘニルジメチコン又はベヘノキシジメチコンが挙げられる。
【００８２】
他の好適な増粘剤としては、ポリアミド及びポリシリコーン−ポリアミドコポリマーが挙げられる。米国特許出願公開番号第２００４／０１７０５８６号に記載のポリシリコーン−ポリアミドコポリマーが好適である。
【００８３】
他の油相構造剤は、動物性、植物性、又はミネラルワックス等、１つ以上の天然又は合成ワックスであってもよい。好適なシリコーンワックスは、米国特許第５，４１３，７８１号、及び同第５，７２５，８４５号に開示されており、更には、アルキルメチルポリシロキサン、Ｃ１０〜Ｃ６０アルキルジメチコン、及びこれらの混合物も包含される。
【００８４】
他の構造化剤としては、天然又は合成モンモリロナイト鉱物、シリカ、ケイ酸塩、シリカケイ酸塩、及びアルカリ金属又はこれらのアルカリ土類金属誘導体が挙げられる。
【００８５】
任意成分
パーソナルケア組成物には、１つ以上の追加成分を含有させることもできる。
【００８６】
Ａ．ＵＶ有効成分−パーソナルケア組成物には、ＵＶ有効成分を含有させることもできる。ＵＶ有効成分は、（ｉ）イソソルビドジエステルに可溶性の固形ＵＶ有効成分、及び（ｉｉ）その他のＵＶ有効成分として広範に分類することができる。
【００８７】
イソソルビドジエステルに可溶性の好適な固形ＵＶ有効成分としては、４−ｔｅｒｔ−ブチル−４’−メトキシジベンゾイルメタン（すなわち、ブチルメトキシジベンゾイルメタン又はアボベンゾン）（ＤＳＭからＰＡＲＳＯＬ（登録商標）１７８９として市販）等のジベンゾイルメタン誘導体が挙げられる。イソソルビドジエステルに可溶性の他の好適な固形ＵＶ有効成分としては、ビス−エチルヘキシルオキシフェノールメトキシフェニルトリアジン（すなわち、ＢＡＳＦからＴｉｎｏｓｏｒｂ（登録商標）Ｓとして市販のベモトリジノール）、２，４，６−トリアニリノ−（ｐ−カルボ−２’−エチルヘキシル−１’−オキシ）−１，３，５−トリアジン（すなわち、ＢＡＳＦからＵｖｉｎｕｌ（登録商標）Ｔ１５０として市販のエチルヘキシルトリアゾン）、ジエチルヘキシルブタミドトリアゾン（すなわち、３Ｖ  ＳｉｇｍａからＵｖａｓｏｒｂ（登録商標）ＨＥＢとして市販のイスコトリジノール）、ジエチルアミノヒドロキシベンゾイルヘキシルベンゾエート（ＢＡＳＦからＵｖｉｎｕｌ（登録商標）Ａ  Ｐｌｕｓとして市販）、ベンゾフェノン−３（すなわち、ＥＭＤ  Ｃｈｅｍｉｃａｌ，Ｉｎｃ．から市販のＥｕｓｏｌｅｘ  ４３６０、（２−ヒドロキシ−４−メトキシフェニル）−フェニルメタノン又はオキシベンゼン）、４−メチルベンジリデンカンファー（ＤＳＭからＰＡＲＳＯＬ（登録商標）５０００として市販）、エチルヘキシルビス−イソペンチルベンゾオキサゾリルフェニルメラミン（３Ｖ  ＳｉｇｍａからＵｖａｓｏｒｂ（登録商標）ｋ２Ａとして市販）、及びこれらの組み合わせが挙げられる。
【００８８】
特定の実施形態では、イソソルビドジエステルに可溶性の固形ＵＶ有効成分は、４−ｔｅｒｔ−ブチル−４’−メトキシジベンゾイルメタン、ビス−エチルヘキシルオキシフェノールメトキシフェニルトリアジン、及びこれらの組み合わせから選択される。
【００８９】
パーソナルケア組成物には、所望のＵＶ吸収効果又は日焼け止め効果を提供するために、ある程度の量でイソソルビドジエステルに可溶性の固形ＵＶ有効成分を含有させることができる。パーソナルケア組成物には、イソソルビドジエステルに可溶性の固形のＵＶ有効成分を、米国（例えば、ＣＦＲ  ｖｏｌ．２１パート３５２、米国官報ｖｏｌ．６８  ｐ．４１３８６、米国官報ｖｏｌ．７０  ｐ．７２４４９又は米国官報ｖｏｌ．７１  ｐ．４２４０５）、欧州（欧州議会規則第１２２３／２００９号；付属書類ＶＩ）、日本、中国、オーストラリア、ニュージーランド又はカナダにおける規制機関により記載され又は提案される通りの量で含有させることができる。特定の実施形態では、パーソナルケア組成物は、イソソルビドジエステルに可溶性の固形ＵＶ有効成分を、組成物の約０．０１重量％〜約２０重量％含む。他の実施形態では、パーソナルケア組成物は、イソソルビドジエステルに可溶性の固形ＵＶ有効成分を、組成物の約０．１重量％、０．５重量％、又は１重量％〜約１５重量％、１０重量％、６重量％、５重量％、又は３重量％含む。他の実施形態では、パーソナルケア組成物には、太陽光線保護指数を少なくとも約１５、３０
４５、又は５０にするのに十分な量の（a sufficient about of）固形ＵＶ有効成分を含有させることができる。ＳＰＦ試験は、当該技術分野で一般的なものであり、かつ周知のものである。好適なＳＰＦ試験は、２１  Ｃ．Ｆ．Ｒ．３５２，Ｓｕｂｐａｒｔ  Ｄに規定されている。他の実施形態では、パーソナルケア組成物には、米国官報ｖｏｌ．７２
ｐ．４９０７０（２００７年８月２７日）に公開されている規則案の、米国食品医薬品局連邦規則セクション３５２．７１〜７３に定義される通り、イソソルビドジエステルに可溶性の固形ＵＶ有効成分を、低、中、高、又は理想的には最高のＵＶＡ保護値を得るのに十分な量で含有させることができる。
【００９０】
「他のＵＶ有効成分」は、上記のように固形ではなく、又はイソソルビドジエステルに可溶性ではないＵＶ有効成分を意味する。パーソナルケア組成物には、所望のＵＶ吸収効果又は日焼け止め効果を提供するために、ある程度の量で追加のＵＶ有効成分を含有させることができる。組成物には、組成物の約０．０００１重量％、０．００１重量％、０．０１重量％、０．０５重量％、０．１重量％、０．５重量％、又は１重量％〜約２０重量％、１０重量％、７重量％、又は５重量％で、好適なその他のＵＶ有効成分を含有させることができる。他の実施形態では、パーソナルケア組成物には、太陽光線保護指数を少なくとも約１５、３０  ４５、又は５０にするのに十分な量の（a sufficient about of）その他のＵＶ有効成分を含有させることができる。他の実施形態では、パーソナルケア組成物には、低、中、高、又は理想的には最高のＵＶＡ保護値を得るのに十分な量の他のＵＶ有効成分を含有させることができる。
【００９１】
好適な他のＵＶ有効成分としては、４−ｔｅｒｔ−ブチル−４’−メトキシジベンゾイルメタン以外のジベンゾイルメタン化合物が挙げられる。好適な他の追加のＵＶ有効成分としては、２−エチルヘキシル−ｐ−メトキシシンナメート、オクチルジメチル−ｐ−アミノ安息香酸、２−エチルヘキシル−２−シアノ−３，３−ジフェニルアクリレート、２−エチルヘキシルサリチレート、２−フェニルベンゾイミダゾール−５−スルホン酸、２−（ｐ−ジメチルアミノフェニル）−５−スルホンベンゾオキサゾイン酸、フェニルジベンゾイミダゾールテトラスルホン酸二ナトリウム、ジヒドロキシジメトキシジスルホベンゾフェノンナトリウム、ポリシリコーン−１５、イソアミルｐ−メトキシシンナメート、及びこれらの組み合わせが挙げられる。好適な他のＵＶ有効成分としては、酸化亜鉛及び二酸化亜鉛等の無機粒子、並びに、メチレンビス−ベンゾトリアゾリルテトラメチルブチルフェノール（ＢＡＳＦからＴｉｎｏｓｏｒｂ（登録商標）Ｍとして市販）等の有機粒子が挙げられる。
【００９２】
選択的な実施形態では、パーソナルケア組成物は、固形ＵＶ有効成分１重量部毎に、２−エチルヘキシル−２−シアノ−３，３−ジフェニルアクリレートを少なくとも１重量部含み、このとき、固形ＵＶ有効成分は４−ｔｅｒｔ−ブチル−４’−メトキシジベンゾイルメタンである。
【００９３】
Ｂ．光安定剤−パーソナルケア組成物には、光安定剤を含有させることができる。組成物は、組成物の約０．０００１重量％、０．００１重量％、０．０１重量％、０．０５重量％、０．１重量％、０．５重量％、又は１重量％〜約２０重量％、１０重量％、７重量％、又は５重量％の１種以上の好適な光安定剤を含んでもよい。
【００９４】
好適な光安定剤は、米国特許第７，７１３，５１９号に開示されているα−シアノジフェニルアクリレートである。α−シアノジフェニルアクリレートは、一般式：
【００９５】
【化７】
2017140431.tif 000008
を有し、式中、Ｒ１及びＲ２のいずれか又は両方は、独立して、直鎖又は分岐鎖Ｃ１〜３０アルコキシラジカルであり、任意の非アルコキシＲ１又はＲ２ラジカルは水素であり、Ｒ３は直鎖又は分岐鎖Ｃ１〜３０アルキルである。あるいは、Ｒ１及びＲ２のいずれか又は両方は、独立して、Ｃ１〜８アルコキシラジカルであり、任意の非アルコキシＲ１又はＲ２ラジカルは水素であり、Ｒ３は直鎖又は分岐鎖Ｃ２〜Ｃ２０アルキルである。あるいは、Ｒ１及びＲ２のいずれか又は両方は、独立して、メトキシであり、任意の非メトキシＲ１又はＲ２は水素であり、Ｒ３は直鎖又は分岐鎖Ｃ２〜Ｃ２０アルキルである。
【００９６】
好適なα−シアノジフェニルアクリレートとしては、エチルヘキシルメトキシクリレン、又は２−エチルヘキシル２−シアノ−３−（４−メトキシフェニル）−３−フェニルプロペノエートが挙げられ、式中、Ｒ１はメトキシであり、Ｒ２は水素であり、Ｒ３は２−エチルヘキシルである。この材料は、Ｈａｌｌｓｔａｒ  Ｃｏｍｐａｎｙから商品名Ｓｏｌａｓｔａｙ（登録商標）Ｓ１として入手可能である。
【００９７】
他の好適な光安定剤としては、米国特許第５，９９３，７８９号、同第６，１１３，９３１号、同第６，１２６，９２５号及び同第６，２８４，９１６号に開示されているナフタレンジカルボン酸のジエステル又はポリエステルが挙げられる。ナフタレンジカルボン酸の好適なジエステル又はポリエステルは、次式：
【００９８】
【化８】
2017140431.tif 000009
式中、各Ｒ１は、独立して、１〜２２個の炭素原子を有するアルキル基、若しくは式ＨＯ−Ｒ２−ＯＨを有するジオール、又は式ＨＯ−Ｒ３−（−Ｏ−Ｒ２−）ｍ−ＯＨを有するポリグリコールであり、Ｒ２及びＲ３は同一であっても異なってもよく、それぞれ１〜６個の炭素原子を有する直鎖又は分岐鎖アルキレン基であり、ｍ及びｎはそれぞれ、１〜約１００、１〜約１０又は２〜約７である。ナフタレンジカルボン酸の好適なジエステルは、ＳｙｍｒｉｓｅからＣｏｒａｐａｎ（登録商標）ＴＱとして入手可能なジエチルヘキシル２，６−ナフタレートである。
【００９９】
他の好適な光安定剤は、４−ヒドロキシベンジリデンマロネート誘導体又は４−ヒドロキシシンナメート誘導体である。好適な材料は、次式：
【０１００】
【化９】
2017140431.tif 000010
（式中、Ａは、紫外線放射を吸収する発色団基であり、１つの２価の基又は２つの１価の基を含み、少なくとも１つの基がカルボニル（Ｃ＝Ｏ）官能基を有し、Ｒ’は水素、直鎖若しくは分岐鎖Ｃ１〜Ｃ８アルキル基、又は直鎖若しくは分岐鎖Ｃ１〜Ｃ８アルコキシラジカルであり、Ｒ”は直鎖又は分岐鎖Ｃ１〜Ｃ８アルキル基である）を有し得る。例示的な化合物としては、エチル−α−シアノ−３，５−ジメトキシ−４−ヒドロキシシンナメート、エチル−α−アセチル−３，５−ジメトキシ−４−ヒドロキシシンナメート、イソ−プロピル−α−アセチル−３，５−ジメトキシ−４−ヒドロキシシンナメート、イソ−アミル−α−アセチル−３，５−ジメトキシ−４−ヒドロキシシンナメート、２−エチルヘキシル−α−アセチル−３，５−ジメトキシ−４−ヒドロキシシンナメート、ジエチル−３，５−ジメトキシ−４−ヒドロキシベンジリデンマロネート、ジ−（２−エチルヘキシル）−３，５−ジメトキシ−４−ヒドロキシベンジリデンマロネート、ジイイソアミル−３，５−ジメトキシ−４−ヒドロキシベンジリデンマロネート、ジドデシル−３，５−ジメトキシ−４−ヒドロキシベンジリデンマロネート、ジパルミトイル−３，５−ジメトキシ−４−ヒドロキシベンジリデンマロネート、及びジ−イソプロピル−３，５−ジメトキシ−４−ヒドロキシベンジリデンマロネートが挙げられる。特に好適な化合物は、ＥＭＤ  Ｃｈｅｍｉｃａｌｓ，Ｉｎｃ．から商品名Ｏｘｙｎｅｘ（登録商標）ＳＴで入手可能なジエチルヘキシルシリンジリデンマロネート（ＩＮＣＩ名）である。更なる好適な４−ヒドロキシベンジリデンマロネート誘導体又は４−ヒドロキシシンナメート誘導体は、米国特許第７，３５７，９１９号及び米国特許出願公開第２００３／０１０８４９２  Ａ１号及び同第２００３／０１５７０３５  Ａ号に開示されている。
【０１０１】
他の好適な光安定剤としては、米国特許出願公開第２０１０／０１８３５２９号に記載されている２−ピロリジノン−４−カルボキシエステル化合物；同第２００８／０１４５３２４号に記載されている２つのアミノベンゾエート又はアミノベンズアミド基で置換されたシリコン含有ｓ−トリアジン；同第２００４／００５７９９１２号、同第２００４／００５７９９１４号、同第２００／００５７９９１６号及び同第２００４／０６２７２６号に記載されているフルオレン誘導体；同第２００５／０２２０７２７号に記載されている、Ｃｉｂａにより商品名Ｔｉｎｏｇａｒｄ（登録商標）Ｑとして販売されているトリス（テトラメチルヒドロキシピペリジノール）シトレートを含むピペリジノール塩；並びに同第２００８／００１９９３０号に記載されているアリールアルキルアミド及びエステルが挙げられる。
【０１０２】
他の好適な光安定剤は、Ｐｅｒｓｏｎａｌ  Ｃａｒｅ  Ｐｒｏｄｕｃｔ  Ｃｏｕｎｃｉｌ’ｓ  Ｉｎｔｅｒｎａｔｉｏｎａｌ  Ｃｏｓｍｅｔｉｃ  Ｉｎｇｒｅｄｉｅｎｔ  Ｄｉｃｔｉｏｎａｒｙ  ａｎｄ  Ｈａｎｄｂｏｏｋ，Ｔｈｉｒｔｅｅｎｔｈ  Ｅｄｉｔｉｏｎ，２０１０の「Ｌｉｇｈｔ  Ｓｔａｂｉｌｉｚｅｒｓ」の機能カテゴリに列挙されている。
【０１０３】
Ｃ．任意成分−有効で及び／又は消費者に望まれる製品を提供するために、パーソナルケア組成物には１つ以上の任意成分を含有させることができる。例えば、組成物は他の有効成分又は剤を含むことができる。例えば、好適な任意のスキンケア有効成分及び剤として、糖アミン、ビタミン、油コントロール剤、フィトステロール（photosterols）、ヘキサミジン化合物、ヒアルロナン（hyaluronin）（２００ｋＤ未満の低分子量のもの又は２００ｋＤ超の高分子量のもの）、ヒアルロナンナトリウム塩（２００ｋＤ未満の低分子量のもの又は２００ｋＤ超の高分子量のもの）、ヒアルロン酸（２００ｋＤ未満の低分子量のもの又は２００ｋＤ超の高分子量のもの）、ヒアルロン酸ナトリウム塩（２００ｋＤ未満の低分子量のもの又は２００ｋＤ超の高分子量のもの）、引き締め剤、抗しわ剤、抗皮膚萎縮剤、レチノイド、ペプチド、分散粒子、ＵＶ有効成分、光安定剤、抗セルライト剤、落屑剤、抗ニキビ剤、抗酸化剤、ラジカルスカベンジャー、コンディショニング剤、抗炎症剤、日焼け剤、美白剤、植物性抽出物、抗微生物剤、抗真菌剤、抗菌剤、制汗剤、防腐剤、抗ふけ剤、洗浄性界面活性剤、及びこれらの組み合わせからなる群から選択される有効成分又は剤を挙げてよい。これらの材料の例は、米国特許出願公開第２００７／０１８５０３８  Ａ１号、同第２００６／０２７５２３７  Ａ１号、同第２００４／０１７５３４７  Ａ１号及び同第２００６／０２６３３０９  Ａ１号に提供されている。パーソナルケア組成物には、組成物の約０．０００１重量％、０．００１重量％、０．０１重量％、０．０５重量％、０．１重量％、０．５重量％、１重量％、２％、又は３重量％〜約３０重量％、２５重量％、２０重量％、１５重量％、１０重量％、７重量％、５重量％、３重量％、２重量％、又は１重量％の１つ以上のスキンケア有効成分を含有させることができる。
【０１０４】
所定の実施形態では、スキンケア有効成分は、糖アミン、ビタミン、ヘキサミジン化合物、ペプチド、及びこれらの組み合わせから選択することができる。
【０１０５】
本明細書で有用な糖アミンの例としては、グルコサミン、Ｎ−アセチルグルコサミン、マンノサミン、Ｎ−アセチルマンノサミン、ガラクトサミン、Ｎ−アセチルガラクトサミン、これらの異性体（例えば立体異性体）、及びこれらの塩（例えばＨＣｌ塩）が挙げられる。グルコサミン、特にＤ−グルコサミン及びＮ−アセチルグルコサミン、特にＮ−アセチル−Ｄ−グルコサミンは、本明細書で使用するのに好ましい。
【０１０６】
「ビタミン」とは、ビタミン、プロビタミン、並びにそれらの塩、異性体及び誘導体を意味する。好適なビタミンの非限定的な例としては、ビタミンＢ化合物（Ｂ１化合物、Ｂ２化合物、Ｂ３化合物、Ｂ５化合物、例えばパンテノール又は「プロＢ５」、パントテン酸、パントテニル；Ｂ６化合物、例えばピロキシジン、ピリドキサル、ピリドキサミン；カルニチン、チアミン、リボフラビン）；ビタミンＡ化合物並びにビタミンＡの天然及び／又は合成類似物、例えばレチノイド、レチノール、酢酸レチニル、パルミチン酸レチニル、レチノイン酸、レチンアルデヒド、プロピオン酸レチニル、カロチノイド（プロビタミンＡ）、及びビタミンＡの生物活性を有するその他の化合物；ビタミンＤ化合物、ビタミンＫ化合物、ビタミンＥ化合物、又はソルビン酸トコフェロール、酢酸トコフェロール、その他のトコフェロール及びトコフェロール化合物のエステルを含むトコフェロール；ビタミンＣ化合物、例えばアスコルビン酸塩、脂肪酸のアスコルビルエステル、並びにアスコルビン酸誘導体、例えば、リン酸アスコルビルマグネシウム及びリン酸アスコルビルナトリウム等のリン酸アスコルビル、アスコルビルグルコシド、並びにソルビン酸アスコルビル；並びに飽和及び／又は不飽和脂肪酸等のビタミンＦ化合物が挙げられる。
【０１０７】
特定の実施形態では、パーソナルケア組成物は、ビタミンＢ３化合物を含む。本明細書で使用するとき、「ビタミンＢ３化合物」とは、次式：
【０１０８】
【化１０】
2017140431.tif 000011
（式中、Ｒは、−ＣＯＮＨ２（すなわち、ナイアシンアミド）、−ＣＯＯＨ（すなわち、ニコチン酸）又は−ＣＨ２ＯＨ（すなわち、ニコチニルアルコール）、これらの誘導体、及びこれらの任意の塩類である）を有する化合物を意味する。
【０１０９】
パーソナルケア組成物は、ヘキサミジン化合物、その塩及び誘導体を含有し得る。本明細書で使用するとき、「ヘキサミジン化合物」とは、次式：
【０１１０】
【化１１】
2017140431.tif 000012
（式中、Ｒ１及びＲ２は任意であるか、又は有機酸（例えば、スルホン酸等）である）を意味する。好適なヘキサミジン化合物としては、Ｌａｂｏｒａｔｏｉｒｅｓ  ＳｅｒｏｂｉｏｌｏｇｉｑｕｅｓからＥｌｅａｓｔａｂ（登録商標）ＨＰ１００として市販のヘキサミジンジイセチオネートが挙げられる。
【０１１１】
本明細書で使用する場合、「ペプチド」とは、１０個以下のアミノ酸を含むペプチド、及びこれらの誘導体、異性体、金属イオン（例えば銅、亜鉛、マンガン、マグネシウム等）等他の種との錯体を意味する。「ペプチド」とは、天然起源ペプチド及び合成ペプチドの両方を指す。また、ペプチドを含有する天然由来の組成物及び市販の組成物も本明細書で有用である。ペプチドには、少なくとも１つの塩基性アミノ酸（例えば、ヒスチジン、リシン、アルギニン）が含有され得る。例えば、好適なペプチドは、ジペプチドカルノシン（β−ａｌａ−ｈｉｓ）、トリペプチドｇｌｙ−ｈｉｓ−ｌｙｓ、トリペプチドｈｉｓ−ｇｌｙ−ｇｌｙ、トリペプチドｇｌｙ−ｇｌｙ−ｈｉｓ、トリペプチドｇｌｙ−ｈｉｓ−ｇｌｙ、テトラペプチドｇｌｙ−ｇｌｎ−ｐｒｏ−ａｒｇ、ペンタペプチドｌｙｓ−ｔｈｒ−ｔｈｒ−ｌｙｓ−ｓｅｒ、ペプチドの親油性誘導体、及び上記の金属錯体（例えば、トリペプチドｈｉｓ−ｇｌｙ−ｇｌｙの銅錯体（ラミンとしても既知））である。他の好適なペプチドとしては、ペプチドＣＫ（ａｒｇ−ｌｙｓ−ａｒｇ）；ペプチドＣＫ＋（ａｃ−ａｒｇ−ｌｙｓ−ａｒｇ−ＮＨ２）；及びペプチドＥ、ａｒｇ−ｓｅｒ−ａｒｇ−ｌｙｓが挙げられる。市販のトリペプチド誘導体含有組成物は、１００ｐｐｍのパルミトイル−ｇｌｙ−ｈｉｓ−ｌｙｓを含有しているＢｉｏｐｅｐｔｉｄｅ  ＣＬ（登録商標）（Ｓｅｄｅｒｍａ，Ｆｒａｎｃｅ）であり、市販されている。市販のペンタペプチド誘導体含有組成物は、１００ｐｐｍのパルミトイル−ｌｙｓ−ｔｈｒ−ｔｈｒ−ｌｙｓ−ｓｅｒを含有するＭａｔｒｉｘｙｌ（登録商標）（Ｓｅｄｅｒｍａ，Ｆｒａｎｃｅ）である。
好適なペプチドは、Ｃ端末のアミノ酸にスレオニンを有するジペプチド系分子であり、例えば、米国特許第２００７／００２０２２０  Ａ１号に記載のパルミトイル−ｌｙｓ−ｔｈｒ等である。
【０１１２】
本明細書で有用なペプチド誘導体としては、パルミトイル誘導体等の親油性の誘導体が挙げられる。一実施形態では、ペプチドは、パルミトイル−ｌｙｓ−ｔｈｒ−ｔｈｒ−ｌｙｓ−ｓｅｒ、パルミトイル−ｇｌｙ−ｈｉｓ−ｌｙｓ、これらの誘導体、及びこれらの組み合わせから選択される。
【０１１３】
本明細書の特定の感覚剤は、処方組成物の約０．０００１重量％〜約１０．０重量％、好ましくは約０．００１重量％〜約２．０重量％、より好ましくは約０．０１重量％〜約１．０重量％の範囲の濃度で、記載される好適なキャリアに混合され得る。この感覚剤はまた、油希釈剤のプレミックス中で調製することができる。それでもなお、有効成分の終末濃度は上記の範囲内となる。
【０１１４】
本発明のパーソナルケア組成物中には、他の好適な任意成分も含めることができ、例えば、研磨剤、吸収剤、香水、抗ニキビ剤、抗固化剤、消泡剤、抗微生物剤（例えば、ヨードプロピルブチルカーバメート）、抗真菌剤、抗酸化剤、結合剤、緩衝剤、充填剤、キレート剤、着色剤、化粧用収斂剤、化粧用殺生物剤、変性剤、収斂剤、外用鎮痛剤、フィルム形成剤、乳白剤、ｐＨ調整剤、植物誘導体、植物抽出物、植物組織抽出物、植物種子抽出物、植物油、植物、植物性抽出物、防腐剤、噴射剤、還元剤、皮脂コントロール剤、金属イオン封鎖剤、皮膚漂白剤、皮膚コンディショニング剤、（例えば、湿潤剤及び閉鎖剤）、並びに皮膚保護剤等の機能クラスが挙げられるが、これらに限定されない。他の好適な追加のパーソナルケア成分としては、米国特許第２０１０／０１１２１００号の第５１３〜８３９段落に掲載される成分が挙げられる。
【０１１５】
パーソナルケア組成物の使用法
本発明のパーソナルケア組成物は、数多くのケラチン組織の状態を改善又は調節するのに有用である。パーソナルケア組成物の使用法に関して使用するとき、「調節する」は、外観及び／又は触感にわずかな劣化を有するあるいはまったく劣化を有さないケラチン組織の外観及び／又は触感を維持することを意味し、「改善する」は、ケラチン組織の外観及び／又は触感に好ましい変化を生じさせるよう作用することを意味する。ケラチン組織の外観及び／又は触感効果は、即時的効果又は持続的効果であってよい。他の実施形態では、パーソナルケア組成物は、ケラチン組織に生理学的な変化を生じさせ得る。
【０１１６】
調節又は改善されるケラチン組織の状態としては、限定するものではないが、ケラチン組織の肥厚（例えば、皮膚の表皮及び／又は真皮及び／又は皮下層の構築、並びに爪及び毛幹のケラチン層に塗布可能）、萎縮、やわらかさ及び／又は手触り、かゆみ、目の下のクマ及び／又は目の腫れぼったさ、皮膚の黄ばみ、たるみ（例えば、糖化）、日焼け、落屑、剥離及び／又は哺乳類の皮膚の代謝回転向上、毛穴の大きさ、油っぽさ／てかつき、哺乳類の皮膚上の炎症後色素沈着、クモ状血管及び／又は赤いシミ等の色素沈着過剰、細かいしわ、乾燥状態（例えば、ひび割れ、鱗屑状の剥がれ、かさつき）、セルライト、及びニキビが挙げられる。
【０１１７】
調節又は改善できるその他の角質の状態としては、皮膚に生じる加齢の兆候が挙げられ、限定するものではないが、外観及び触感により表される全ての状態、並びにケラチン組織の老化により生じる任意のマクロ又はミクロな作用が挙げられる。これらの兆候は、限定するものではないが、しわ及び深いしわ、小じわ、縦じわ、陥没、隆起、大きな毛穴、キメの粗さ又は肌荒れ等の、質感が不連続的であるために生じるもの；肌の弾力の喪失；変色（目の下のクマ等）；シミ；皮膚の黄ばみ；加齢によるシミ及びそばかす等の皮膚領域の色素沈着；角化症；異常な分化；過剰な角質化；弾力線維症；コラーゲンの分解、並びに角質層、真皮、表皮、血管系、及び特に皮膚に近接する下部組織（例えば、脂肪及び／又は筋肉）におけるその他の組織構造の変化（例えば、末梢血管拡張又はクモ状血管）等の進行により表れる。
【０１１８】
本発明のパーソナルケア組成物は、傷害を受けたケラチン組織の改善又は調節に有用である。「損傷を受けたケラチン組織」とは、例えば物理的な及び／又は化学的な刺激に曝された後で不快感、炎症、好ましくない又は不整な外観等を示すケラチン組織を意味する。損傷を受けたケラチン組織の非限定的な例としては、やけど（例えば、日焼け、風焼け、化学的熱傷、又は熱傷）、発疹（例えば、おむつかぶれ、髭剃りかぶれ、及びアレルゲン誘導性発疹）、変色（例えば、退色、染色、色素沈着過度）、切れ目や切り傷（例えば、髭剃りによる損傷）、並びに乾燥した皮膚、ひび割れた皮膚、又は荒れた皮膚（例えば、風、寒さ、及び／又は低湿度ヘの曝露による）が挙げられる。損傷の非限定的な例としては、放射線、風、低湿度、アレルゲン、汚染源、化学的な及び自然の刺激、体液、体外排泄物、過剰な水分、細菌、真菌、等が挙げられる。
【０１１９】
パーソナルケア組成物の製造方法
上記の通り、パーソナルケア組成物は多様な形態を取り得る。以降の手法は例示的なものであり、限定するものとして読まれるものではない。パーソナルケア組成物が油分散体又は溶液の形態である場合、以降の手法を使用することができる。十分な量のイソソルビドジエステルを提供し、固形美容成分を可溶化させる。適切な容器中で、固形美容成分をイソソルビドジエステルと組み合わせる。組み合わせたものを混合し（例えば、撹拌棒を入れた電磁攪拌器）、所望により７０℃に加熱する。可溶性及び／又は相溶性の追加成分を加えてもよい。溶質が視認されなくなるまで組成物を混合する。当該技術分野で既知の装置及び手法により混合又は均質化することができる。好適な方法及び装置としては、ミキサー又は振とうプレート等の機械による手法、ソノレーター（sonolator）又は液体ホイッスル等の高圧による手法、及び超音波処理器等の超音波による手法が挙げられる。典型的には、混合及び所望により７０℃での加熱が、１０分以下で行われる。場合により組成物を適切な容器に移す。組成物を冷却させてもよい。
【０１２０】
パーソナルケア組成物がエマルションの形態である場合、油相は上記の手法に従って調製することができる。別の容器では、水及び／又は水混和性溶媒等の水性キャリアと、存在する場合には任意の水溶性成分とを組み合わせて、水相を調製する。組み合わせたものを混合し（例えば、撹拌棒を入れた電磁攪拌器）、所望により７０℃に加熱する。エマルションの具体的な形態（Ｏ／Ｗ又はＷ／Ｏ）に応じ、適切な相に乳化剤を添加することができる。典型的には、乳化剤は、連続相に添加することができる。更に、所望されるエマルション形態に応じ、油相には水相を加えることができ、逆もまた同様に行うことができる。このエマルションを混合し（例えば、撹拌棒を入れた電磁攪拌器）、所望により７０℃に加熱することができる。溶質が視認されなくなるまで組成物を混合する。当該技術分野で既知の装置及び手法により混合又は均質化することができる。典型的には、混合及び所望により７０℃での加熱が、１０分以下で行われる。場合によりエマルションを適切な容器に移す。このエマルションを冷却させてもよい。
【実施例】
【０１２１】
実施例１〜６は、イソソルビドジエステルに可溶性の固形美容成分を含むパーソナルケア組成物である。
【０１２２】
【表１】
2017140431.tif 000013
１  Ｃｏｇｎｉｓ（商標）のＥｍｕｌｇａｄｅ（商標）ＰＬ６８／５０
２  Ｓｅｐｐｉｃ（商標）のポリアクリルアミド、Ｃ１３〜１４イソパラフィン及びラウレス−７
３  Ｅｑｕｉｓｔａｒ（商標）のポリエチレンホモポリマースフェア
４  Ｄｏｗ  Ｃｏｒｎｉｎｇ（商標）のジメチコン及びジメチコノール
５  ＢＡＳＦ（商標）のビス−エチルヘキシルオキシフェノールメトキシフェニルトリアジン
６  Ｓｙｎｔｈｅｏｎ，Ｌｔｄ．（Ｂｏｏｎｔｏｎ，ＮＪ）のジオクタノイルイソソルビド
７  Ｇｉｒｉｎｄｕｓ  Ａｍｅｒｉｃａ，Ｉｎｃ．（Ｒｅａｄｉｎｇ，ＯＨ）から入手可能
８  Ｓａｂｉｎｓａ  Ｃｏｒｐｏｒａｔｉｏｎ（Ｅａｓｔ  Ｗｉｎｄｓｏｒ，ＮＪ）から入手可能
９  Ｓｙｔｈｅｏｎ，Ｌｔｄ．（Ｌｉｎｃｏｌｎ  Ｐａｒｋ，ＮＪ）から入手可能Ｓｙｎｏｖｅａ（登録商標）ＨＲ
【０１２３】
適切な容器中で、水相材料を組み合わせ、７５℃に加熱する。別の適切な容器で、油相材料を組み合わせ、７５℃に加熱する。次に油相を水相に加え、得られたエマルションをすり混ぜる（例えば、Ｔｅｋｍａｒ  Ｔ−２５により）。次に、増粘剤をエマルションに加え、撹拌しながらエマルションを４５℃に冷却する。４５℃にて、残りのその他の成分を加える。次に、撹拌しながら生成物を３０℃になるまで冷却し、再度すり混ぜ、次に適切な容器に注ぎ入れる。
【０１２４】
試験例
以降の試験において、試験する固形の溶質の溶解性に関し、「可溶性」（又は「可溶化する」）とは、貯蔵条件下での規定の貯蔵期間後に視認可能な結晶が確認されないことを意味する。貯蔵期間は変更することができる。好適な貯蔵期間は、約２４時間、約１週間及び約３０日間である。好適な貯蔵条件としては、周囲条件又は５℃での冷蔵条件が挙げられる（約０．１ＭＰａ（１ａｔｍ））。特定の実施形態では、溶解度は、周囲条件下で２４時間経過後に評価することができる。他の実施形態では、溶解度は、冷蔵条件下で２０日後に評価することができる。他の試験パラメーターとしては、より長期間の貯蔵（例えば、３０日間、５０日間、６０日間、９０日間）及び各種温度（例えば、５℃、５０℃）が挙げられ得る。
【０１２５】
実施例１−２種類の従来の工業規格の溶媒に対する溶解性について、本発明の範囲内のイソソルビドジエステルの溶解性を試験した。（Ｓ）−エクオル（すなわち、Ｇｉｒｉｎｄｕｓ  Ａｍｅｒｉｃａ，Ｉｎｃ（Ｒｅａｄｉｎｇ，ＯＨ）から市販の４’，７−イソフラバンジオール）を固形美容成分として使用して、ジカプリン酸イソソルビド、イソプロピルラウロイルサルコシネート、並びにＣ１２〜１５安息香酸アルキルへの溶解性を試験した。７０℃に加熱し、試験溶液の６％エクオルを調製する。７０℃に達したら、本例は約１０分間混合してよい。蓋をしたバイアル瓶に混合物を置き、貯蔵温度まで冷却する。
周囲条件下で２４時間貯蔵した試料の溶解性を評価する。５℃で７日間貯蔵後、周囲条件下で平衡化させた試料の溶解性も評価する。結果を表１に示す。データにより、イソソルビドジエステルの溶解性は、工業規格の溶媒と同程度であるかあるいはこれより優れていることが実証される。
【０１２６】
【表２】
2017140431.tif 000014
＊  比較例
【０１２７】
実施例２−２種類の従来の工業規格の溶媒に対する溶解性について、本発明の範囲内のイソソルビドジエステルの溶解性を試験した。テトラヒドロクルクミノイド（ＴＨＣ）（Ｓａｂｉｎｓａ  Ｃｏｒｐｏｒａｔｉｏｎ（Ｅａｓｔ  Ｗｉｎｄｓｏｒ，ＮＪ）から市販のテトラヒドロクルクミノイド）を固形美容成分として使用して、ジカプリン酸イソソルビド、イソプロピルラウロイルサルコシネート、並びにＣ１２〜１５安息香酸アルキルへの溶解性を試験した。７０℃に加熱し、試験溶液の３％  ＴＨＣを調製する。７０℃に達したら、本例は約１０分間混合してよい。蓋をしたバイアル瓶に混合物を置き、貯蔵温度まで冷却する。周囲条件下で２４時間貯蔵した試料の溶解性を評価する。５℃で７日間貯蔵後、周囲条件下で平衡化させた試料の溶解性も評価する。結果を表２に示す。データにより、イソソルビドジエステルの溶解性は、工業規格の溶媒と同程度であるかあるいはこれより優れていることが実証される。
【０１２８】
【表３】
2017140431.tif 000015
＊  比較例
【０１２９】
実施例３−２種類の従来の工業規格の溶媒に対する溶解性について、本発明の範囲内のイソソルビドジエステルの溶解性を試験した。ヘキシルレゾルシノール（Ｓｙｔｈｅｏｎ，Ｌｔｄ．からＳｙｎｏｖｅａ（登録商標）ＨＲとして市販）を固形美容成分として使用して、ジカプリン酸イソソルビド、イソプロピルラウロイルサルコシネート、並びにＣ１２〜１５安息香酸アルキルへの溶解性を試験した。７０℃に加熱し、試験溶液の３３．５％ヘキシルレゾルシノールを調製する。７０℃に達したら、本例は約１０分間混合してよい。蓋をしたバイアル瓶に混合物を置き、貯蔵温度まで冷却する。周囲条件下で２４時間貯蔵した試料の溶解性を評価する。５℃で７日間貯蔵後、周囲条件下で平衡化させた試料の溶解性も評価する。結果を表３に示す。データにより、イソソルビドジエステルの溶解性は、工業規格の溶媒と同程度であるかあるいはこれより優れていることが実証される。
【０１３０】
【表４】
2017140431.tif 000016
＊  比較例
【０１３１】
【表５】
2017140431.tif 000017
１０  Ｓｏｌｉａｎｃｅより
１１  ＡｊｉｎｏｍｏｔｏのＥｌｄｅｗ  ＳＬ−２０５
１２  Ｍｏｍｅｎｔｉｖｅより
１３  Ｃｒｏｄａより
１４  Ａａｒｈｕｓ  Ｋａｒｌｓｈａｍｎ  Ｓｗｅｄｅｎ  ＡＢより
１５  Ｄｏｗ  Ｃｏｒｎｉｎｇ  Ｃｏｒｐｏｒａｔｉｏｎより
１６  Ｓｙｍｒｉｓｅより
【０１３２】
適切な容器内で、水相成分を合わせ、７０〜８０℃に加熱して、プロペラ羽根を備えたＴｅｋｍａｒミキサーで混合する。別の適切な容器内で、油相成分を合わせ、７０〜８０℃に加熱して混合する。油相及び水相が７５℃で安定したら、油相を水相に加え、得られたエマルションをすり混ぜる（例えば、Ｔｅｋｍａｒ  Ｔ−２５により）。次に、増粘剤を約６０℃のエマルションに加え、撹拌しながらエマルションを４５℃に冷却する。４５℃にて、残りのその他の成分を加える。次に、撹拌しながら生成物を３０℃になるまで冷却し、再度すり混ぜ、次に適切な容器に注ぎ入れる。
【０１３３】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ｍｍ」として開示される寸法は、「約４０ｍｍ」を意味することを意図する。
【０１３４】
任意の相互参照又は関連特許若しくは関連出願を包含する本明細書に引用される全ての文献は、明確に除外ないしは別の方法で限定されない限り、その全てを本明細書中に参照により組み込まれる。いずれの文献の引用も、こうした文献が本願で開示又は特許請求される全ての発明に対する先行技術であることを容認するものではなく、また、こうした文献が、単独で、あるいは他の全ての参照文献とのあらゆる組み合わせにおいて、こうした発明のいずれかを参照、教示、示唆又は開示していることを容認するものでもない。更に、本文書において、用語の任意の意味又は定義の範囲が、参考として組み込まれた文書中の同様の用語の任意の意味又は定義と矛盾する場合には、本文書中で用語に割り当てられる意味又は定義に準拠するものとする。
【０１３５】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのような全ての変更及び修正を添付の特許請求の範囲で扱うものとする。
【手続補正書】
【提出日】平成29年4月6日(2017.4.6)
【手続補正１】
【補正対象書類名】特許請求の範囲
【補正対象項目名】全文
【補正方法】変更
【補正の内容】
【特許請求の範囲】
【請求項１】
ａ．次式：
【化１】
2017140431.tif 000021
（式中、Ｒ’及びＲ”は、独立して、直鎖又は分岐鎖Ｃ１〜３０鎖から選択され、飽和又は不飽和であってよい）
を有するイソソルビドジエステルと、
ｂ．前記イソソルビドジエステルに可溶性の固形美容成分と、
ｃ．皮膚科学的に許容可能なキャリアと、
を含み、前記固形美容成分を可溶化するのに十分な量で前記イソソルビドジエステルを含み、かつ前記固形美容成分が、前記キャリアではなく前記イソソルビドジエステルに溶解しているパーソナルケア組成物を含む、吸収性物品。
【請求項２】
Ｒ’及びＲ”が同一である、請求項１に記載の吸収性物品。
【請求項３】
Ｒ’及びＲ”が飽和直鎖又は分岐鎖Ｃ７鎖である、請求項１又は２に記載の吸収性物品。
【請求項４】
０．１％〜１０％の固形美容成分を含む、請求項１又は２に記載の吸収性物品。
【請求項５】
前記固形美容成分が、フラボノイド、ヒドロキシ酸、Ｎ−アシルアミノ酸化合物、フィトステロール、グリチルレチン酸、トコフェロールスクシネート、及びこれらの組み合わせからなる群から選択される固形化合物である、請求項１又は２に記載の吸収性物品。
【請求項６】
前記固形美容成分が、ヘキシルレゾルシノール、エクオル、テトラヒドロクルクミノイド、非置換フラボン、７，２’−ジヒドロキシフラボン、３’，４’−ジヒドロキシナフトフラボン、４’−ヒドロキシフラボン、５，６−ベンゾフラボン、及び７，８−ベンゾフラボン、非置換イソフラボン、７，４’−ジヒドロキシイソフラボン、５，７−ジヒドロキシ−４’−メトキシイソフラボン、大豆イソフラボン、サリチル酸、β−シトステロール、カンペステロール、ブラシカステロール、δ−５−アヴェンナステロール、ルペノール、α−スピナステロール、スティグマステロール、グリチルレチン酸、ウンデシレノイルフェニルアラニン、ビタミンＥコハク酸塩、並びにこれらの組み合わせからなる群から選択される、請求項１又は２に記載の吸収性物品。
【請求項７】
前記固形美容成分が、ヘキシルレゾルシノール、エクオル、テトラヒドロクルクミノイド、及びこれらの組み合わせからなる群から選択される、請求項１又は２に記載の吸収性物品。
【請求項８】
固形美容成分１重量部毎に少なくとも１０重量部のイソソルビドジエステルを含む、請求項１又は２に記載の吸収性物品。
【請求項９】
４−ｔｅｒｔ−ブチル−４’−メトキシジベンゾイルメタン、ビス−エチルヘキシルオキシフェノールメトキシフェニルトリアジン、２，４，６−トリアニリノ−（ｐ−カルボ−２’−エチルヘキシル−１’−オキシ）−１，３，５−トリアジン、ジエチルヘキシルブタミドトリアゾン、ジエチルアミノヒドロキシベンゾイルヘキシルベンゾエート、ベンゾフェノン−３、４−メチルベンジリデンカンファー、エチルヘキシルビス−イソペンチルベンゾオキサゾリルフェニルメラミン、及びこれらの組み合わせから選択される固形ＵＶ有効成分を更に含む、請求項１又は２に記載の吸収性物品。
【請求項１０】
前記ＵＶ有効成分が、２−エチルヘキシル−ｐ−メトキシシンナメート、オクチルジメチル−ｐ−アミノ安息香酸、２−エチルヘキシル−２−シアノ−３，３−ジフェニルアクリレート、２−エチルヘキシルサリチレート、２−フェニルベンゾイミダゾール−５−スルホン酸、２−（ｐ−ジメチルアミノフェニル）−５−スルホンベンゾオキサゾイン酸、フェニルジベンゾイミダゾールテトラスルホン酸二ナトリウム、ジヒドロキシジメトキシジスルホベンゾフェノンナトリウム、ポリシリコーン−１５、イソアミルｐ−メトキシシンナメート、二酸化亜鉛、酸化亜鉛、メチレンビス−ベンゾトリアゾリルテトラメチルブチルフェノール、４−ｔｅｒｔ−ブチル−４’−メトキシジベンゾイルメタン、２−エチルヘキシル−２−シアノ−３，３−ジフェニルアクリレート、及びこれらの組み合わせから選択される、請求項１又は２に記載の吸収性物品。
【請求項１１】
光安定剤を更に含み、前記光安定剤が、メトキシクリレン、ジエチルヘキシル２，６−ナフタレート、ジエチルヘキシルシリンジリレンマロネート、及びこれらの組み合わせからなる群から選択される、請求項１又は２に記載の吸収性物品。
【請求項１２】
ＵＶ有効成分１重量部毎に光安定剤が少なくとも１重量部の比で光安定剤を更に含む、請求項１又は２に記載の吸収性物品。
【請求項１３】
ａ．水を含む水相と、
ｂ．前記イソソルビドジエステルと前記イソソルビドジエステルに可溶性の前記固形美容成分とを含む油相と、
を含むエマルション形態である、請求項１又は２に記載の吸収性物品。
【外国語明細書】
2017140431000001.pdf